(57)【要約】【課題】現在の携帯型ＩＴの和文入力鍵盤はローマナイズ五十音図によって、子音列の指定と母音段の指定を組み合わせて入力するが、タッチ数と操作性において問題を残している。【解決手段】３行５列の入力鍵盤において、同一のハード鍵盤に子音入力鍵盤と母音入力鍵盤をともに設定し、子音入力鍵盤による子音入力後に自動的に母音入力鍵盤が呼び出され、母音入力鍵盤による母音入力後に自動的に子音入力鍵盤が呼び出されるように設定することにより、キー数を半減する。また、子音入力鍵盤と母音入力鍵盤の交代的出現を保障するシステムを五十音図の機能を十分に踏まえた形で設計することにより、入力速度を大幅に高め、一挙に二倍のハードキー数を持つ鍵盤と同等あるいはそれ以上の入力機能を発揮する。これをワンタッチ鍵盤切替方式をとる英文鍵盤と組み合わせることにより、入力機能を落とすことなく現在のパソコンと同じ位の大きさのハードキーをもつ超小型のパーソナルコンピューターの実現に道を開く。【選択図】図１
2009129438.tif 000002
【特許請求の範囲】
【請求項１】
携帯電話やＰＤＡ（Ｐｅｒｓｏｎａｌ  Ｄｉｇｉｔａｌ  Ａｓｓｉｓｔａｎｔ）あるいは超小型パソコン等の携帯入力端末に使用するアルファベット使用入力鍵盤において、和文入力のための基本的鍵盤（ローマナイズによる平かな字母）、英文入力のための基本的鍵盤（アルファベット字母）、数字入力のための基本的鍵盤（０から９までの数字等）以外に、それぞれの入力種のための符号入力専用の鍵盤を用意して、それぞれ所定の回数、別に設けた鍵盤切り替えキーを押し下げることにより、それを呼び出すという方式をとるが、この場合に、一定の回数鍵盤切り替えキーを押し下げることによって呼び出される符号入力鍵盤は、入力種の違いにかかわらず、できる限り鍵盤上の同一位置に同一記号あるいは、‘’と「」、“”と『』のように、対応関係が明確である符号を配置すること。なおこの発明は当然のことながら、一般的なパソコン等のよりキー数の多い鍵盤あるいはよりキー数の少ない鍵盤の場合にも適用される。
【請求項２】
〔請求項１〕を具体化したものとして、連続２打鍵の場合を〔図７〕（１）（２）（３）、連続３打鍵の場合を〔図８〕（１）（２）（３）、連続４打鍵の場合を〔図９〕（１）（２）（３）、連続５打鍵の場合を〔図１０〕（１）（２）（３）の各鍵盤のように設定すること。この場合、同一鍵盤内で、それぞれの符号の配置を変えたものも、本発明の範囲に入るものとする。
【請求項３】
〔請求項１〕〔請求項２〕において、呼び出された符号入力鍵盤がデイスプレーの画面に表示され、表示された鍵盤にしたがって対応するキーを押し下げることによって、当該キーの入力が行われるように設定すること。
【請求項４】
携帯電話やＰＤＡ（Ｐｅｒｓｏｎａｌ  Ｄｉｇｉｔａｌ  Ａｓｓｉｓｔａｎｔ）あるいは超小型パソコン等の携帯入力端末に使用するアルファベット使用入力鍵盤による和文入力において、すべての字母を形式上、子音＋母音の形に整理して、この子音用の鍵盤と母音用の鍵盤が１対１で対応するように設定すること。なおこの発明は当然のことながら、よりキー数の多い鍵盤あるいはよりキー数の少ない鍵盤の場合にも適用される。
【請求項５】
上記〔請求項４〕の子音用の鍵盤と母音用の鍵盤において、子音用の鍵盤のキーを押し下げて子音を入力すると自動的に母音用の鍵盤に切り替わり、母音用の鍵盤のキーを押し下げて母音を入力すると自動的に子音用の鍵盤に切り替わるように設定すること。
【請求項６】
〔請求項４〕〔請求項５〕の場合に、子音と母音の交替を保障するために、子音用の鍵盤に音価のない子音符を設定すること。
【請求項７】
〔請求項４〕〔請求項５〕の場合に、子音用の鍵盤のｔのキーを押し下げた直後に同じキーを連続して押し下げたばあい、この本来母音用のキーが先のｔキーと連結して促音の「っ」を入力するように設定すること。この場合、最初に押し下げられたｔキーはｔ子音を表し、二度目に押し下げられたｔキーは促音符として、促音の「っ」の母音部分を表すものとする。
【請求項８】
〔請求項４〕〔請求項５〕の場合に、子音と母音の交替を保障するために、子音用の鍵盤のｎのキーを押し下げた直後に同じキーを連続して押し下げたばあい、この本来母音用のキーが先のｎキーと連結して鼻音の「ん」を入力するように設定すること。この場合、最初に押し下げられたｎキーはｎ子音を表し、二度目に押し下げられたｎキーは鼻音符として、形式上、鼻音の「ん」の母音部分を表すものとする。
【請求項９】
上記〔請求項４〕から〔請求項８〕にいたる請求を具体化した３行５列の和文入力の子音用鍵盤において、〔図１〕の（１）のように、最左端最上端の第１行第１列のキーを無音の子音符にあて、その右の第２列のキーをｋキーに、第３列のキーをｓキーに、第４列のキーをｔキーに、第５列のキーをｎキーにあて、第２行第１列のキーをｈｆキーに、第２列のキーをｍキーに、第３列のキーをｙキーに、第４列のキーをｒキーに、第５列のキーをｗｖキーに、第３行第１列のキーをｇキーに、第２列のキーをｚキーに、第３列のキーをｄキーに、第４列のキーをｂキーに、第５列のキーをｐキーに当てた鍵盤。この場合、〔図２〕（１）に見られるように、ｋキーに母音Ａを加えて「か」と表記し、ｓキーに母音Ａを加えて「さ」と表記し、以下同様に、最後の第３行第５列のｐキーに母音Ａを加えて「ぱ」と表記するまで、〔図１〕の（１）の各子音キーに母音Ａを加えた平かなをキーに表記した鍵盤も本発明の範囲に加えられる。
【請求項１０】
上記〔請求項４〕から〔請求項８〕にいたる請求を具体化した３行５列の和文入力の母音用鍵盤において、〔図１〕の（２）のように、最左端最上端の第１行第１列のキーをｙａにあて、その右の第２列のキーをｙｕキーに、第３列のキーをｙｏキーに、第４列のキーをｔキーを促音化するキーすなわち促音符に、第５列のキーをｎキーを鼻音化するキーすなわち鼻音符にあて、第２行第１列のキーをａキーに、第２列のキーをｉキーに、第３列のキーをｕキーに、第４列のキーをｅキーに、第５列のキーをｏキーに、第３行第１列のキーをａｉキーに、第２列のキーをｕｉキーに、第３列のキーをｕｕキーに、第４列のキーをｅｉキーに、第５列のキーをｏｕキーに当てた鍵盤。この場合、〔図２〕（２）に見られるように最左端最上端の第１行第１列のキーとなるｙａをそのローマナイズに従って「や」と表記し、その右の第２列のキーとなるｙｕキーをそのローマナイズに従って「ゆ」と表記し、以下順に最後の第３行第５列のｏｕキーを「おう」と表記するまで、〔図１〕の（２）に示されるキーをそのローマナイズに従って平かな書きにした鍵盤も本発明の範囲に加えられる。また、第１行第４列の促音符を「っ」に、第１行第５列の鼻音符を「ん」と表記してもよい。もちろん、これらの３行は互いに入れ替えた場合も本発明の範囲内にある。
【請求項１１】
上記の３行５列の和文子音入力鍵盤に対応する英文入力鍵盤の設計において、すべてのアルファベット字母と基本的英文符号を、３行５列の二つの鍵盤に割り当てて、一方を表鍵盤、他方を裏鍵盤として、表鍵盤を使った入力時に、鍵盤切替キーを１打することによって、裏鍵盤に入るように設定し、そこで記号あるいは符号を入力すると自動的に表鍵盤に戻るように設定すること。この発明はテンキーの場合にも適用される。
【請求項１２】
上記の〔請求項９〕の３行５列の和文子音入力鍵盤に対応する英文入力鍵盤（英文入力表鍵盤）の設計において、和文子音入力鍵盤の最左端最上端の第１行第１列の無音の子音符の設定をとりやめ、〔請求項１０〕の３行５列の和文母音入力鍵盤に対応する英文入力鍵盤（英文入力裏鍵盤）の設計において、その第１行の「ｙａ」「ｙｕ」「ｙｏ」「促音符」「鼻音符」の５つのキーを一旦空位にし、第３行の「ａｉ」「ｕｉ」「ｕｕ」「ｅｉ」「ｏｕ」の５つのキーを一旦空位にして、さらにこうして生じた合計１１の空位のキーに「ｃ」「ｆ」「ｊ」「ｌ」の４つのアルファベットキーと「，」「．」「？」「！」等の合計７つの基本的な英文符号を当てること。
【請求項１３】
上記〔請求項１２〕を具体化したものとして、〔図４〕（１）のように、和文子音入力鍵盤の最左端最上端の第１行第１列の無音の子音符に対応する部分にコンマキーを設定し、さらに和文子音入力鍵盤のｋキーをｋｑキーに、ｓキーをｓｘキーに、ｆｈキーをｈキーに変え、それ以外はすべて和文入力の場合と同様にキーを割り振った鍵盤。すなわち、このコンマキーの右の第１行第２列のキーをｋｑキーに、第３列のキーをｓｘキーに、第４列のキーをｔキーに、第５列のキーをｎキーにあて、第２行第１列のキーをｈキーに、第２列のキーをｍキーに、第３列のキーをｙキーに、第４列のキーをｒキーに、第５列のキーをｗｖキーに、第３行第１列のキーをｇキーに、第２列のキーをｚキーに、第３列のキーをｄキーに、第４列のキーをｂキーに、第５列のキーをｐキーに当てた鍵盤（英文入力表鍵盤）を設定すること。
【請求項１４】
上記〔請求項１２〕を具体化したものとして、〔図４〕の（２）のように、最左端最上端の第１行第１列のキーをピリオドキーにあて、その右の第２列のキーをｃキーに、第３列のキーをｆキーに、第４列のキーをｊキーに、第５列のキーをｌキーにあて、第２行については、和文母音用鍵盤とまったく同様に、第１列のキーをａキーに、第２列のキーをｉキーに、第３列のキーをｕキーに、第４列のキーをｅキーに、第５列のキーをｏキーにあて、第３行第１列のキーを‐（ハイフン）キーに、第２列のキーを？キーに、第３列のキーを！キーに、第４列のキーを；キーに、第５列のキーを：キーに当てた鍵盤（英文入力裏鍵盤）を設定して〔請求項１３〕の鍵盤（英文入力表鍵盤）と組み合わせること。
【請求項１５】
〔請求項１１〕〔請求項１３〕の和文子音入力鍵盤に対応する英文入力鍵盤を、英文入力の際に最初に入る基本的鍵盤（英文入力表鍵盤）とし、この基本的鍵盤を鍵盤切替キーを１打することによって、〔請求項１１〕〔請求項１４〕の和文母音入力鍵盤に対応する英文入力鍵盤（英文入力裏鍵盤）に切替えるように設定すること。
【請求項１６】
上記〔請求項１５〕において基本的鍵盤（英文入力表鍵盤）から鍵盤切替キーを１打することによって呼び出された鍵盤（英文入力裏鍵盤）のキーを押し下げて必要とされるアルファベットを入力した場合、それと同時に鍵盤が基本的鍵盤すなわち英文入力表鍵盤にもどるように設定すること。なお、以上の請求において英文入力表鍵盤と英文入力裏鍵盤との内容を互いに入れ替えた場合も、本発明の範囲にはいることとする。
【請求項１７】
上記〔請求項９〕と〔請求項１０〕に示される３行５列の和文入力鍵盤に対応する和文符号入力の設定において、和文入力鍵盤から鍵盤切替キーを１打して呼び出される最初の和文符号入力鍵盤（和文基本符号鍵盤）の内容を、〔請求項１２〕〔請求項１３〕〔請求項１４〕で設定された英文符号のすべてを網羅し、さらに（株）、（有）、〒、平成等の、一般的な英文の符号として想定しにくい符号を組み合わせること。
【請求項１８】
〔請求項１７〕の請求内容を具体的に実現したものとしての、〔図６〕（１）に示した鍵盤。もちろん、これらの３行を互いに入れ替えた場合も本発明の範囲内にある。
【請求項１９】
３行５列の入力鍵盤において、〔図５〕（１）のように、五十音数字入力基本鍵盤を、その第１行に、左から＃、＊、／、．（ピリオド）、‐（ハイフン）の符号を設定し、その第２行に左から、１、２、３、４、５の符号を設定し、その第３行に左から、６、７、８、９、０の符号を設定すること。もちろん、これらの３行を互いに入れ替えた場合も本発明の範囲内にある。
【請求項２０】
上記〔請求項１９〕に示される３行５列の数字入力基本鍵盤に対応する数字（数学）符号入力の設定において、数字入力基本鍵盤から鍵盤切替キーを１打して呼び出される最初の数字（数学）符号入力鍵盤（数字基本符号鍵盤）の内容を、一般的な英文と和文の符号として想定しにくい符号を組み合わせること。
【請求項２１】
〔請求項２０〕の請求内容を具体的に実現したものとしての、〔図６〕（２）に示した鍵盤。もちろん、これらの３行を互いに入れ替えた場合も本発明の範囲内にある。
【請求項２２】
〔図１〕（１）（２）に見られるように、３行５列の入力鍵盤の下に、左から鍵盤切替キー（図の表示は鍵盤切替）、クリアキー（図の表示はクリア）、入力種切替キー（図の表示は入力切替）、コピーキー（図の表示はコピー）、文字大小キー（図の表示は文字大小）の順に５個の操作キーを置くこと。なお、この発明はその変形として、〔図３〕（１）（２）に見られるように、３行５列の入力鍵盤の左横に、下から順に鍵盤切替キー（図の表示は鍵盤切替）、クリアキー（図の表示はクリア）、入力切替キー（図の表示は入力切替）を置く形をも含んでいる。なお、この操作キーの同一行、あるいは同一列のなかで、キーを相互に入れ替えた形も、本発明に含まれる。また本発明のキー配置をテンキーの場合に応用することも本発明のなかに含まれる。
【請求項２３】
〔請求項２２〕において、文字大小切替キーを、それが和文の文章の入力中に打鍵された場合には、その直前に入力された一定数の和文字母中に小型文字表記にふさわしい字母があった場合それを小型文字に変えるように、逆にその直前に入力された一定数の和文字母中に普通の文字表記にふさわしい小型字母があった場合それを普通の文字に変えるように設定し、英文入力中に打鍵された場合にはその直前に入力された小文字を大文字に、大文字を小文字に転換するように設定する。なお、この発明はテンキーの場合にも適用される。
【請求項２４】
〔請求項２２〕において、文字大小切替キーが、文章の入力後にカーソルキーによって、切替箇所を指定したのちに打鍵された場合には、和文の場合にはこの指定部分の「つ」「や」等の普通の字体を「っ」「ゃ」等の小型の字体に、「っ」「ゃ」等の小型の字体を「つ」「や」等の普通の字体に変え、英文の場合には、大文字を小文字に、小文字を大文字に変えるように設定する。なお、この発明はテンキーの場合にも適用される。
【請求項２５】
英文入力中に、アルファベット字母の入力後にカーソルキーによって、その字母を指定して鍵盤切替キーを打った場合に、たとえば〔図１１〕（１）に示すように、その字母を含む単位記号の一覧が鍵盤の形で画面に表示され、表示にしたがって必要な単位記号のキーを押し下げると、その単位記号が入力されるように設定すること。なお、この発明の原理はテンキーの場合にも適用される。
【請求項２６】
上記すべての請求項からなる携帯入力端末の操作キーのうち、クリアキーとコピーキーを取り去り、かわりにＳｐａｃｅキー（画面表記はＳｐａｃｅ）と機能切替キーを加えた鍵盤。
【請求項２７】
〔請求項２６〕の３行５列の入力キーに１行５列の操作キーを加えた鍵盤に、さらに１行６列と１列５行の操作キーを加え、これらの操作キーによって、通常のパソコン操作を可能にする鍵盤を設定すること。
【請求項２８】
〔請求項２６〕の鍵盤を、〔図１２〕（１）（２）に見られるようにＣｏｎｔｒｏｌ，Ａｌｔｅｒｎａｔｅ，Ｅｓｃａｐｅ，Ｈｏｍｅ，Ｅｎｄ，Ｐａｇｅ  ｕｐ，Ｐａｇｅ  ｄｏｗｎ，Ｂａｃｋ  ｓｐａｃｅ，Ｄｅｌｅｔｅ，Ｅｎｔｅｒの諸キーによって構成すること。
【請求項２９】
〔請求項２８〕の諸キーのなかで、Ｈｏｍｅ，Ｅｎｄ，Ｐａｇｅ  ｕｐ，Ｐａｇｅ  ｄｏｗｎの４キーの位置は、〔図１２〕（１）（２）に見られるそのままの位置に置くこと。
【請求項３０】
〔請求項２６〕の機能切替キーをｎ回押し下げることによって、それに対応するｎ個の機能鍵盤を呼び出すように設定すること。
【請求項３１】
〔請求項２６〕の機能切替キーを１回押し下げることによって呼び出される鍵盤を、〔図１３〕（１）のように構成すること。
【請求項３２】
〔請求項２６〕の機能切替キーを２回押し下げることによって呼び出される鍵盤を、〔図１４〕（１）のように構成すること。
【請求項３３】
〔請求項２６〕から〔請求項３２〕までの請求によって呼び出される諸鍵盤において、たとえば〔図１３〕（１）のファイルのキーを押し下げることによって、〔図１５〕（１）のような鍵盤が呼び出され、さらにこの〔図１５〕（１）の鍵盤の送信のキーを押し下げることによって、〔図１６〕（１）のような鍵盤が呼び出されるように、〔請求項３０〕までの請求によって呼び出される諸鍵盤においてさらにその鍵盤中の必要とされるキーを押し下げることによって、順次下位の鍵盤が呼び出されるように設定すること。
【請求項３４】
以上の和文入力のすべての場合において、最初に和文入力に入った場合、入力終了後一定の時間後に再び入力に入った場合、さらに入力中、子音＋母音の組み合わせによって、かな字母入力が行われた直後の入力の場合に、そこで押し下げられたキーは子音キーとなるように設定すること。
【請求項３５】
以上の鍵盤のすべてにおいて、字母入力および数字入力の場合に最初に入る基本的鍵盤以外の鍵盤は、そこでの入力が成立した瞬間に、自動的にその入力種の最初の基本的鍵盤にもどるように設定すること。
【発明の詳細な説明】
【技術分野】
【０００１】  本発明はたとえば携帯電話端末や超小型パソコンあるいはＰＤＡ（Ｐｅｒｓｏｎａｌ  Ｄｉｇｉｔａｌ  Ａｓｓｉｓｔａｎｔ）等の小型入力機器、および大型機器のリモートコントローラ等の入力鍵盤に関するものである。
【背景技術】
【０００２】現在、携帯電話端末等の小型機器は、半導体技術の発展によって以前のパーソナルコンピューターに匹敵する極めて高度の機能を持つにいたっている。【０００３】したがってこれらの小型入力端末においても、一般的なパーソナルコンピューターと同様に、高度の文字、記号の入力機能や編集機能、あるいはインタネットへの接続等にふさわしい操作性が求められている。【０００４】しかしながら、これらの小型入力端末においては、最大限の小型化が必須の前提的要請となっており、パーソナルコンピューターのキーボードの５分の１にも満たないキー数しか備えられておらず、そのためにこの要求を満たすことはきわめて困難であった。【０００５】現在、少数のキー数によって高度の入力を勝ち取るために使用されている和文入力の方式は、携帯電話で一般的となっている、一つのハードキーに複数の字音を代表させ、これに別種の操作を加えてその字音を確定するという方式である。【０００６】この現在通用の携帯電話の入力方式は、特許公開２００１−１７５３９１（特許文献１）に始まる五十音図に依拠した方式である。【０００７】すなわち、テンキーに五十音図の１０行５段の文字配列を対応させて、各キーに子音行を代表させ、子音キーの連続打鍵によって、その母音を決定するものである。【０００８】これには、特許出願２００２−５７４３９（特許文献２）や特許公開２００５−１２８８０２（特許文献３）のように別に設けた母音段を決定する母音キーあるいは別種デバイスの押し下げによって、母音を決定する方式がある。【０００９】このように携帯電話の和文入力は五十音図に依拠するという日本語の特性に対応した優れた方式を採用することによって、使用時の抵抗感を減らし、一定の操作性を獲得するに至っている。【００１０】しかしながら、特許文献１に始まる現行の携帯電話の入力方式は、特許文献２の場合をも含めてタッチ数が極めて多くなるという欠点がある。【００１１】これに対して、たとえば子音行の確定に加えて別種デバイスの押し下げによって母音段を確定するという特許文献３のアイデアは、原理的には高度の操作性を実現するものであるが、その現実の入力動作における操作性には問題が残されている。【００１２】すなわち、この特許文献３のアイデアにおいては、筐体表面に置かれたテンキーに子音段の決定を役割を担わせ、筐体裏面に置かれた別種のデバイスの押し下げによって母音段が決定される。【００１３】この場合においては、テンキーと操作デバイスを片手の別の指で同時に操作できるので、子音段の決定と母音段の決定がほぼ同時になされるので、原理的にはきわめて迅速な入力が可能となる。【００１４】しかし、この方式における現実の入力動作においては、筐体表面に置かれたテンキーの入力動作における意識と筐体裏面に置かれた別種のデバイスの押し下げの意識が、同一表面上のそれでない（逆面操作）ことからくる矛盾感と、筐体表面に置かれたテンキーの入力動作における意識が右から左、上から下という直線的な性質を持つのに対して、筐体裏面に置かれた別種のデバイスの押し下げの意識が、一点の上下、左右に置かれた四つの点の選択という性格をもつことの間の矛盾感が重なり、実際の操作性は高いものとならない。【００１５】テンキーにおける子音段と母音段の決定に関しては、母音キーの位置を固定せず、一打目の子音キーにあわせてそれを取り囲むように母音を担当するキーを配列するという特許公開２００６−０２３９５０（特許文献４）の方式がある。【００１６】これはきわめて優れた発想であり、もし入力鍵盤が相当多くのキーから成り立っている場合には、理想的な効果が期待できる。【００１７】しかしながら、現実の携帯端末においては、キー数が限られているため、こうして自動的に出現した母音段を決定する機能をもったキーと、先に決定された子音段のキーとの位置関係が、さまざまな形をとることに成り、実際の入力動作が逆に煩瑣になるという欠点がある。
【発明の開示】
【発明が解決しようとする課題】
【００１８】本発明は、和文入力の場合に、日本語の表記を形式的に完全に子音＋母音の形に整理して、これに対応するように設計された子音鍵盤と母音鍵盤との自動的交代出現という方法によって、小型鍵盤に対しても大型鍵盤と同等の入力機能を保障しようとするものである。【００１９】すなわち、本発明は完全に子音キーあるいは子音扱いキーのみからなる子音鍵盤と、完全に母音キーあるいは母音扱いキーのみからなる子音鍵盤とを設定し、両者の自動的交代によって、和文入力の場合に従来のパソコンのハードキーの半数のハードキーによって、従来のパソコンと同等の入力性能を実現するように設計されている。【００２０】本発明は携帯電話端末や超小型パソコンあるいはＰＤＡ（Ｐｅｒｓｏｎａｌ  Ｄｉｇｉｔａｌ  Ａｓｓｉｓｔａｎｔ）等の小型入力機器、および大型機器のリモートコントローラ等の入力鍵盤における和文入力の高度な設計とそれに対応する英文入力鍵盤の設計を目指すものであるが、携帯電話を中心として現行方式と同様に小型のハードキーを使用して、カーソル移動や画面スクロールあるいは入力決定等の基本的操作を従来の方式に準拠して行う場合と、とりわけ超小型パソコンあるいはＰＤＡ（Ｐｅｒｓｏｎａｌ  Ｄｉｇｉｔａｌ  Ａｓｓｉｓｔａｎｔ）等を中心として、現行のパソコンと同様の大きさのハードキーを使用して、パソコンに準じた基本的操作鍵盤設計を伴う全面的な入力システムの確立を追求する場合の双方を含んでいる。
【課題を解決するための手段】「和文入力問題の解決」【００２１】本発明の追求する高度の和文入力方式を実現するための子音鍵盤と母音鍵盤の交代的出現という方法のために、〔図１〕（１）（２）のように、４行５列の鍵盤を、上部３行５列の記号入力キーと下部１行５列の操作キーとに分ける。【００２２】下部１行５列の操作キーは、〔図１〕（１）（２）のように、左から順に、鍵盤切替キー、クリアキー、入力種切替キー、コピーキー、文字大小切替キーとする。【００２３】上記〔００２２〕での鍵盤切替キー、クリアキー、入力種切替キー、コピーキー、文字大小切替キーは、図面での表記は、鍵盤切替、クリア、入力切替、コピー、文字大小となっている。【００２４】操作キー配置のバリエーションとして、〔図３〕（１）（２）のように、３行６列の鍵盤を最左の第一列３行に下から順に、鍵盤切替キー、クリアキー、入力種切替キーを配置し、残った３行５列を記号キーに当てる方式もありうる。【００２５】このうち、入力種切替キーは、押し下げられるたびに、入力種が英文、和文、絵文字、数字の順に切替えられ、また、切替えた結果その時点で行われることになる入力種が画面最上部あるいは最下部に表示される。【００２６】鍵盤切替キーは、入力種が英文、和文、数字の場合には、所定の回数の打鍵によって必要とされる符号鍵盤を呼び出し、絵文字の場合には、所定の回数の打鍵によって異なる相位あるいは階層の絵文字鍵盤を呼び出すように設定する。【００２７】文字大小切替キーは、和文の文章の入力中に打鍵した場合には、たとえば「やつた」「ちやんと」と「やった」「ちゃんと」の場合のように、その直前に入力された一定数の和文字母中に小型文字表記にふさわしい字母があった場合それを小型文字に変え、普通文字表記にふさわしい字母が小型文字で表記されている場合、それを普通文字に書替えるとともに、英文の入力中ではその直前に入力された小文字を大文字に、大文字を小文字に変換する。【００２８】文字大小切替キーは、文章の入力後にカーソルキーによって、切替箇所を指定したのちに打鍵した場合には、和文の場合には「つ」「や」等の普通の字体を「っ」「ゃ」等の小型の字体に、「っ」「ゃ」等の小型の字体を「つ」「や」等の普通の字体に変え、英文の場合には、大文字を小文字に、小文字を大文字に変える。【００２９】具体的に和文入力の場合には、〔図１〕（１）の子音入力鍵盤、（２）の母音入力鍵盤のように、子音入力のための３行５列の記号キー入力鍵盤と母音入力のための３行５列の記号キー入力鍵盤という二つの鍵盤を用意する。【００３０】この二つの鍵盤は、子音入力鍵盤が押し下げられて子音あるいは子音扱いの字母が入力されると、鍵盤が自動的に母音入力鍵盤に切り替えられ、母音入力鍵盤が押し下げられて母音あるいは母音扱いの字母が入力されると、鍵盤が自動的に子音入力鍵盤に切り替えられるように、設定される。【００３１】〔図１〕（１）の３行５列の子音入力鍵盤は、見られるように、最左端最上端の第１行第１列のキーを無音の子音符にあて、その右の第２列のキーをｋキーに、第３列のキーをｓキーに、第４列のキーをｔキーに、第５列のキーをｎキーにあて、第２行第１列のキーをｆｈキーに、第２列のキーをｍキーに、第３列のキーをｙキーに、第４列のキーをｒキーに、第５列のキーをｗｖキーに、第３行第１列のキーをｇキーに、第２列のキーをｚキーに、第３列のキーをｄキーに、第４列のキーをｂキーに、第５列のキーをｐキーに当てる。【００３２】上記の子音入力鍵盤の場合、ｆｈキーはそれが母音と結合したときに、たとえば「は」と「ふぁ」のように、二種の字母を表すので、この場合にはこの二種の入力結果を画面上に表示して、「は」を選ぶ場合には無操作で入力を続け、「ふぁ」を選ぶ場合には、カーソル等でそれを選択することにする。【００３３】上記の子音入力鍵盤の場合、ｗｖキーはそれが母音と結合したときに、たとえば「わ」と「ヴァ」のように、二種の字母を表すので、この場合にはこの二種の入力結果を画面上に表示して、「わ」を選ぶ場合には無操作で入力を続け、「ヴァ」を選ぶ場合には、カーソル等でそれを選択することにする。【００３４】上記の子音入力鍵盤の場合、無音の子音符はいわば子音鍵盤の位取りとして機能し、その後に押し下げられるキーが母音鍵盤に属することを指示する。【００３５】〔図１〕の（２）の３行５列の母音入力鍵盤は、見られるように、最左端最上端の第１行第１列のキーをｙａにあて、その右の第２列のキーをｙｕキーに、第３列のキーをｙｏキーに、第４列のキーをｔキーを促音化するキーすなわち促音符に、第５列のキーをｎキーを鼻音化するキーすなわち鼻音符にあて、第２行第１列のキーをａキーに、第２列のキーをｉキーに、第３列のキーをｕキーに、第４列のキーをｅキーに、第５列のキーｏキーに、第３行第１列のキーをａｉキーに、第２列のキーをｕｉキーに、第３列のキーをｕｕキーに、第４列のキーをｅｉキーに、第５列のキーをｏｕキーに当てた鍵盤である。【００３６】上記の母音入力鍵盤の場合、第１行第１列から第３列までのキーは、子音（あるいは子音符）と結びついて母音扱いの拗音を入力するために使われ、その後のキーは自動的に子音扱いとなる。【００３７】上記の母音入力鍵盤の場合、第１行第４列の子音用の鍵盤のｔに当たるキーを促音符として、子音用の鍵盤のｔに当たるハードキーを押し下げた直後にこの同じハードキーを押し下げたばあい、この本来母音用のキーが先のｔキーと連結して促音の「っ」を入力するように設定する。【００３８】この場合、最初に押し下げられたｔキーはｔ子音を表し、二度目に押し下げられたｔキーは促音符として、促音の「っ」の母音部分を表すものとする。【００３９】上記の母音入力鍵盤の場合に、子音と母音の交替を保障するために、第１行第５列の子音用の鍵盤のｎに当たる位置に置かれた母音用のキーを鼻音符として、子音用の鍵盤のｎのキーを押し下げた直後にこの同じハードキーを押し下げたばあい、この本来母音用のキーが先のｎキーと連結して鼻音の「ん」を入力するように設定する。【００４０】この場合、最初に押し下げられたｎキーはｎ子音を表し、二度目に押し下げられた同じハードキーは母音入力鍵盤に属する鼻音符として、形式上、鼻音の「ん」の母音部分を表すものとする。【００４１】上記の母音入力鍵盤の場合、第３行第１列から第５列までの二重母音キーは、二重母音の漢字音の全てに対応している。【００４２】たとえば、対応の対はｔ＋ａｉ、応は子音符＋ｏｕ、形式の形はｋ＋ｅｉ、遂行の遂はｓ＋ｕｉ、行はｋ＋ｏｕ、交通の交はｋ＋ｏｕ、通はｔ＋ｕｕである。【００４３】ただし、渋滞の渋、入学の入、超越の超等の拗音を含んだ二重母音は、このような方式では入力できないので、まずｚ＋ｙｕとして「じゅ」の音を入力したあと、子音符＋ｕと入力してあわせて「じゅう」の音を表現することとする。入はｎ＋ｙｕとして「にゅ」の音を入力したあと、子音符＋ｕと入力してあわせて「にゅう」の音を表現することとする。その他の場合も同様である。【００４４】以上のように、本発明は和文入力においては、五十音図のローマナイズを基礎としているが、かならずしもアルファベットに親しみを持たない層に対して、現在一般の携帯入力に用いられている入力記号の平かな表記を、そのバリエーションとして採用し、〔図２〕（１）（２）のような鍵盤を提供する。【００４５】すなわち、和文入力基本表鍵盤としての子音鍵盤を、〔図２〕（１）のように、その第１行の第１列に子音符、第２列に「か」、第３列に「さ」、第４列に「た」、第５列に「な」、第２行の第１列に「は」、第２列に「ま」、第３列に「や」、第４列に「ら」、第５列に「わ」、第３行の第１列に「が」、第２列に「ざ」、第３列に「だ」、第４列に「ば」、第５列に「ぱ」のように設定し、和文入力基本裏鍵盤としての母音鍵盤を、〔図２〕（２）のように、その第１行の第１列に「や」、第２列に「ゆ」、第３列に「よ」、第４列に「っ」、第５列に「ん」、第２行の第１列に「あ」、第２列に「い」、第３列に「う」、第４列に「え」、第５列に「お」、第３行の第１列に「あい」、第２列に「うい」、第３列に「うう」、第４列に「えい」、第５列に「おう」のように設定する。【００４６】上記の〔００４５〕に示された鍵盤の機能は、〔図１〕（１）（２）に示された五十音図のローマナイズをそのままに記した鍵盤との場合とまったく同様である。【００４７】すなわち、たとえば〔図２〕（１）の子音鍵盤の第１行第４列の「た」のキーを押し下げたあと、引き続き同じハードキーを押し下げると、このキーは、母音鍵盤の第１行第５列の促音符として読み取られ、「っ」が入力される。【００４８】同様に、たとえば、〔図２〕（１）の子音鍵盤の第１行第５列の「な」のキーを押し下げたあと、引き続き同じハードキーを押し下げると、このキーは、母音鍵盤の第１行第５列の「ん」のキーとして読み取られ、「ん」が入力される。【００４９】また、拗音の場合として、〔図２〕（１）の子音鍵盤の第１行第２列の「か」のキーを押し下げたあと、引き続き同じハードキーを押し下げると、このキーは、母音鍵盤の第１行第２列の「ゆ」のキーとして読み取られ、「きゅ」が入力される。【００５０】同様に、二重母音の場合として、〔図２〕（１）の子音鍵盤の第１行第２列の「か」のキーを押し下げたあと、引き続きハードキーの第３行の第１列を押し下げると、このキーは、母音鍵盤の第３行第１列の「あい」のキーとして読み取られ、「かい」が入力される。【００５１】この鍵盤によって、たとえば特許公開と入力するためには、ｔ（子音１打）ｏ（母音１打）ｔｔ（子音１打母音１打）ｋ（子音１打）ｙｏ（拗母音１打）ｋ（子音１打）ｏｕ（母音１打）ｋ（子音１打）ａｉ（母音１打）となり、計１０打となる。【００５２】これに対して、現在の携帯端末の場合は、と（５打）っ（カーソル１打、６打）き（２打）ょ（５打）こ（５打）う（３打）か（１打）い（２打）で、計３１打となる上、１打で入力できる場合から計７打での入力に至るまで、ばらつきが大きくリズミカルな入力は不可能である。【００５３】上記の特許文献３の場合には、同様の入力は、と（２打）っ（カーソル１打、２打）き（２打）ょ（２打）こ（２打）う（２打）か（１打）い（２打）となって、計１６打となる。【００５４】したがって、本発明の打鍵数がもっとも少なく、また特許文献３の場合には、二つの指に異種の動きを与えるという操作性の問題があり、さらに英文等の入力種での問題は解決されていない。【００５５】本発明の場合は、３行５列計１５個のハードキーを使用するので、テンキー使用の場合ほどは制約が大きくないが、以上のような設定によって、この１５個のキーに、３０個のキーと同等の機能をもたせることができる。
「英文入力問題の解決」【００５６】現在一般的に使用されている携帯電話等の小型入力鍵盤におけ英文入力に際しての最大の問題は、ひとつのキーにａｂｃの場合のように３個の字母を割り当てるものから、ｐｑｒｓの場合のように４個の字母を割り当てるものまで、一つの字母の入力に３回から４回のキーの押し下げが必要であることである。【００５７】さらに、そこでは３回のキーの押し下げと４回のキーの押し下げが、混在することからくる入力リズムの狂いの問題がある。【００５８】このような携帯電話等の小型入力端末における英文入力方式に共通する困難の基本的原因は、いわゆるテンキーにおける最大限１２個のハードキーにアルファベット２６文字を配置しなければならないという制約に起因している。【００５９】しかし、アルファベット２６文字の英語入力に対する関係は、その字母としての歴史と関連して一様ではない。【００６０】すなわち、アルファベット２６文字中、ＫとＱ、ＳとＸ、ＶとＷの三組の字母は、綴り字に対する関係において、相補的な関係にある。【００６１】たとえばＫあるいはＱを含む任意のある英単語の綴りにおいて、原則としてそのなかにＫが使われる部分をＱに置き換えた単語は存在せず、逆にＱが使われる部分にＫが使われた単語も存在しない。【００６２】こうして、ＫＥＹという単語が存在すれば、ＱＥＹという単語は存在せず、ＱＵＥＳＴＩＯＮという単語が存在すれば、ＫＵＥＳＴＩＯＮという単語は存在しない。【００６３】これは、たとえばフランス語、ドイツ語をも含めて、印欧語系における字母表記においては、Ｑ＋ＵがＫと等価の子音扱いになるためである。【００６４】これほど明確ではないが、同様の関係がＳとＸ、ＶとＷの二組の字母においても原則的に成立する。【００６５】したがって、同一のハードキーにＫとＱあるいはＳとＸあるいはＶとＷという二つの字母を同時に設定することによって、計２３のハードキーによるアルファベット英文入力が可能になる。【００６６】たとえばＫとＱをあわせたハードキーを仮に＊印キーと表記した場合、ＱＵＥＳＴＩＯＮという単語は、＊ＵＥＳＴＩＯＮと入力されることになる。【００６７】一方、携帯端末のメモリーには、ＱＵＥＳＴＩＯＮという単語を登録しておき、＊ＵＥＳＴＩＯＮという入力が、この登録と照合させることによって、正しくＱＵＥＳＴＩＯＮと表示入力されるように設定する。【００６８】たとえば、ｅｓｏｔｅｒｉｃ（秘伝の）とｅｘｏｔｅｒｉｃ（平凡な）のような極めて少数の例外もあるが、この場合には、両単語をともに表示して改めてカーソルと決定キーによって必要単語を確定することにする。【００６９】以上の工夫によって、小型の入力鍵盤においては、最小限２３個のキーでアルファベットの入力が可能になる。【００７０】そこで、この２３個のキーに７個の英文の基本的符号キーを加えたものを二つの鍵盤に割り当ててこの二つの鍵盤を相互に切り替えるように設定すれば、キーの押し下げ回数の減少とリズミカルな入力という二つの問題を、同時に解決することができる。【００７１】本発明においては英文字母を割り当てた鍵盤を、英文入力基本表鍵盤（〔図４〕（１））と英文入力基本裏鍵盤（〔図４〕（２））に分けて、英文入力基本表鍵盤での入力中に鍵盤切替キーを１打すると、英文入力基本裏鍵盤に入るように、またこの英文入力基本裏鍵盤での入力がなされると直ちに自動的に鍵盤が英文入力基本表鍵盤に切替られるように設定する。【００７２】〔図４〕（１）に示した英文入力基本表鍵盤は、〔図１〕（１）に示した和文入力基本表鍵盤の第１行、第１列の子音符をコンマに、第２列のｋキーをｋｑキーに、ｓキーをｓｘキーに、ｈｆキーをｈキーに変えたものである。【００７３】〔図４〕（２）に示した英文入力基本裏鍵盤は、〔図１〕（２）に示した和文入力基本表鍵盤の第１行を取り去ってその代わりに、第１列から順に、．（ピリオド）キー、ｃキー、ｆキー、ｊキー、ｌキーを設定し、第２行はそのままにして、第３行を、第１列から順に‐（ハイフン）キー、？キー、！キー、；キー、：キーに置き換えたものである。【００７４】今仮に、この〔図４〕の（１）英文入力基本表鍵盤を表、（２）英文入力基本裏鍵盤を裏、切替キー（入力鍵盤切替キー）を換、と表記して、ｈａｒｄ  ｋｅｙと入力する場合の打鍵数を示すと、ｈ（表１打）ａ（表１打）ｒ（換１打、裏１打）ｄ（表１打）ｋ（表１打）ｅ（表１打）ｙ（換１打、裏１打）となり、計９打での入力が可能となる。【００７５】これを、一般的な携帯電話での方式によってｈａｒｄ  ｋｅｙと入力する場合を見ると、ｈ（２打）ａ（１打）ｒ（３打）ｄ（１打）ｋ（２打）ｅ（２打）ｙ（３打）となり、計１４打となる。【００７６】比較すると本発明の場合は、一般的な方式の六割強の打数となる。【００７７】また英文入力種に入る操作を比較すると、本発明の場合には、最大限３回の入力種切替キーの押し下げが必要であるが、一般的な方式では、最大限７回の入力種切替キーの押し下げが必要となる。【００７８】なお、本発明のように英文入力を設定した場合の、ひとつの困難は、単語の場合ではなく、単なる符号としてＫとＱ、ＳとＸ、ＶとＷの三組の字母のうちのいずれかを単独に入力せざるを得ない状況が発生することである。【００７９】この点については、この困難を解決するためにあらたに正規の手順を設定することが、入力方式の複雑化をきたすことを恐れて、これらのキーたとえばＫとＱを同時に表わすキーを三連打した場合に、ＫＫＫとＱＱＱの二つの入力結果を表示して、あらためてそのいずれかを選ぶ方式を採用する。【００８０】この場合、たとえば、ｑｕｉｃｋと入力したあと、ｕｉｃｋの部分を消去してｑを入力し、ｑｕｉｃの部分を消去してｋを入力し、ｓｉｘと入力しあとｓｉの部分を消去してｘを入力し、ｉｘの部分を消去してｓを入力し、あるいはｖｏｗと入力したあと、ｖｏの部分を消去してｗを入力し、ｏｗの部分を消去してｖを入力するように、単に一定の短い綴りの単語を入力し、あらためてカーソルキーとクリアキーによって、不要な綴りを消去して、もとめる字母を確定することも可能である。
「数字入力、数字（数学）符号入力の問題」【００８１】一般的な携帯電話の場合には、文章中の数字入力と、電話番号の入力等の直接外部環境と接触する場合とでは、数字入力の扱いが異なっており、「＃」や「＊」等の符号の扱いが異なっている。【００８２】本発明においては、数字入力の基本鍵盤に「＃」や「＊」等の符号を設定して直接外部環境との接触を可能にするとともに、数字入力を和文入力、英文入力、絵文字入力等と対等の入力種として、文章中の数字入力においても直接外部環境と接触する場合と同様のシステムでの入力を行う。【００８３】具体的には、〔図５〕（１）に示すように、３行５列の数字入力の基本鍵盤の第１行に、左から順に「＃」、「＊」、「／」、「．」（ピリオド）、「‐」（ハイフン）の５個の記号入力キーを設定し、第２行に、左から順に、１、２、３、４、５の５個の数字入力キーを設定し、第３行に、左から順に、６、７、８、９、０の５個の数字入力キーを設定する。【００８４】さらに、〔図６〕（２）、〔図７〕（３）、〔図８〕（３）、〔図９〕（３）、〔図１０〕（３）等に見えるように、鍵盤切替キーを一定回数押し下げることによって、数字符号（数学符号）を系統的に呼び出せるシステムを用意する。【００８５】すなわち、数字入力中に入力鍵盤切替キー（図では鍵盤切替と表記）を１度押し下げることによって〔図６〕（２）の数字符号基本鍵盤に、入力鍵盤切替キー（図では鍵盤切替と表記）を２度連続して押し下げることによって〔図７〕（３）の数字符号第１鍵盤に、入力鍵盤切替キー（図では鍵盤切替と表記）を３度連続して押し下げることによって〔図８〕（３）の数字符号第２鍵盤に、入力鍵盤切替キー（図では鍵盤切替と表記）を４度連続して押し下げることによって〔図９〕（３）の数字符号第３鍵盤に、入力鍵盤切替キー（図では鍵盤切替と表記）を５度連続して押し下げることによって〔図１０〕（３）の数字符号第４鍵盤に、入るように設定する。【００８６】この場合、こうして呼び出された諸符号鍵盤は、そのたびに画面に半透明にかぶせた状態あるいは不透明で縮小されて画面の一部に示される状態で、表示され、入力者はこの表示を参照して該当するキーを押し下げると該当のキーが入力されるように設定する。【００８７】このようにして入力可能になる数字（数学）符号は、数字入力基本鍵盤の場合に５個（１度のキーの押し下げによって入力）、数字符号基本鍵盤の場合に１５個（２度のキーの押し下げによって入力）、数字符号第１鍵盤の場合に１５個（３度のキーの押し下げによって入力）、数字符号第２鍵盤の場合に１５個（４度のキーの押し下げによって入力）、数字符号第３鍵盤の場合に１５個（５度のキーの押し下げによって入力）となり、５度以内のキーの押し下げによって計６５個の符号が入力できる。【００８８】これをたとえば、携帯電話での一般的な符号入力の場合の１モデルとして、６行１０列で数字符号の一覧をつくり、これを画面上でカーソルによってたどる場合と比較すると、数字入力から数字符号入力に入るために１回（あるいはそれ以上の）のキーの押し下げが必要であり、さらにこれに０回から１４回まで、６０個のアイコンで表現された符号にたどり着くまで総計４２０回のカーソル移動すなわち平均７回のカーソル移動が必要となり、さらにこれを確定するために１回のキーの押し下げが必要となる。【００８９】以上によって、携帯電話での一般的な符号入力の平均的な場合と比較すれば、本発明の場合のもっともキーの押し下げ回数の多い場合であっても、より単純で高速の入力が可能であることが理解できる。【００９０】また、携帯電話での一般的な符号入力の場合、たとえば６行１０列で数字符号の一覧のなかから目的のアイコンを選ぶことになるが、本発明の場合は、１鍵盤に対して１５個づつ符号が割り当てられた鍵盤を選択し、さらにそこから目的の符号を選ぶことになり、習熟すれば瞬時の入力が可能になる。【００９１】以上のような数字（数学）符号鍵盤の構成は、数字入力基本鍵盤、数字入力基本鍵盤、数字符号第１鍵盤、数字符号第２鍵盤、数字符号第３鍵盤の順に、基本的な符号から応用的あるいは高度の記号へという方向での構成原理と、和文符号鍵盤、英文符号鍵盤との共通性の確保という二つの原理の総合によって決定されるので、和文符号鍵盤と英文符号鍵盤の紹介を済ませた後に、再び数字（数学）符号鍵盤の構成に触れることとする。
「和文符号入力、英文符号入力、数字（数学）符号入力の統合的設計の問題」【００９２】前項〔００９１〕で触れたように、本発明における符号入力鍵盤の構成は、各入力種における基本的な符号から応用的あるいは高度の記号へという方向での構成原理と、和文符号鍵盤、英文符号鍵盤、数字（数学）符号鍵盤という３種の入力種のあいだにおける共通性の確保という二つの原理の総合によって決定される【００９３】ここでいう３種の入力種のあいだにおける共通性の確保とは、英文符号、和文符号、数字（数学）符号の３種の入力において、入力種にかかわりなく、入力鍵盤切替キーを同一回数押し下げた場合に呼び出される符号入力鍵盤をできる限り、共通性の高いものにするという意味である。【００９４】このような方法をとる場合には、二つの基本的な困難がある。【００９５】第一の困難は、この３種の入力種においてそれぞれの基本字母の入力から符号の入力に移る時期に相違があるという問題である。【００９６】第二の困難は、この３種の入力種相互が本来異質なものであるから、符号の一致は限られたものとならざるを得ないという問題である。【００９７】まず〔００９５〕で示した問題について見れば、和文入力鍵盤は、すでに見たように五十音を子音鍵盤と母音鍵盤の二つの鍵盤に分けるけれども、この二つの鍵盤は相互に自動的に切り替わるように設定されているので、子音鍵盤から母音鍵盤へ、あるいはその逆への切替は入力鍵盤切替キーの押しさげを必要としない形でなされ、数字（数学）入力鍵盤では１５のキーのなかで１０個のキーのみによって数字入力が可能であり、残余の５個のキーは、符号入力にまわすことができる。【００９８】これに対して、英文入力の場合には、英文字母の入力のために二つの鍵盤が必要となり、この鍵盤の切替のために入力鍵盤切替キーを押し下げる必要がある。【００９９】本発明においては、このギャップを埋めるために、和文符号入力の場合と数字（数学）符号入力の場合に、それぞれ入力鍵盤切替キーを１回押し下げることによって入る和文符号基本鍵盤と数字符号基本鍵盤をおいて緩衝の機能を設定し、和文符号、数字（数学）符号、英文符号の３種の符号入力鍵盤の構成の一致を、入力鍵盤切替キーを２回押し下げることによって入る各種符号第１鍵盤からはじめることとする。【０１００】緩衝の機能は、和文符号基本鍵盤の場合と数字（数学）符号基本鍵盤の場合に、前者の場合にはまず、〔図６〕（１）に見られるように、英文入力基本表裏鍵盤に含まれるすべての符号を含み、さらに和文のみに特殊に使用される符号を含む鍵盤を設定し、後者の場合には、〔図６〕（２）に見られるように、英文入力基本表裏鍵盤に含まれるすべての符号を含み、さらに数字（数学）にのみに特殊に使用される符号を含む鍵盤を設定することによってなされる。【０１０１】こうして、〔図７〕（１）（２）（３）に見られる和文、英文、数字（数学）各入力種の第１符号鍵盤に至って、この三つの入力種に共通あるいは相似の符号を、鍵盤上の同一位置に配置する条件が基本的に整備されるが、そこでの一つの困難は、数字（数学）符号入力の場合に、すでにその基本鍵盤（〔図５〕（１））に、＃、＊、／、等の電話番号入力やメール入力に必要な基本的な記号の一部が設定されていることである。【０１０２】そこで、和文、英文、数字（数学）各入力種の第１符号鍵盤の設計に当たっては、数字（数学）入力種の第１符合鍵盤の場合には、その第１行の第１列から第４列までの、基本鍵盤（〔図５〕（１））にすで
2009129438.tif 000003
いては、その使用が絶無と言ってよい符号を設定し、残った第４列と第５列には和文、英文、数字（数学）各入力種の第１符号鍵盤に共通する符号として、／／、＠を設定することにする。【０１０３】こうして、設計された〔図７〕（１）（２）（３）に見られる和文、英文、数字（数学）各入力種の第１符号鍵盤を見ると、その第１行は、和文符号と英文符号がまったく一致し、数字（数学）符号は他の入力種と一致する第４列の／／と第５列の＠を除いて、他の入力種とはまったくことなっており、第２行は三つの鍵盤が完全に一致し、第３行は、英文符号と数字（数学）符号がまったく一致し、和文符号はその他の二つの鍵盤と一致あるいは相似している。【０１０４】つづいて、和文、英文、数字（数学）各入力種の第２符号鍵盤となる〔図８〕（１）（２）（３）を見ると、和文、英文、数字（数学）各入力種の符号鍵盤が、ここでは完全に一致する。【０１０５】さらに、和文、英文、数字（数学）各入力種の第３符号鍵盤となる〔図９〕（１）（２）（３）を見ると、英文、数字（数学）の２入力種の符号鍵盤が完全に一致し、和文のそれは内容的には英文、数字（数学）の２入力種と完全に一致して、それらの符号をカナ表記したものとなる。【０１０６】さらに、和文、英文、数字（数学）各入力種の第４符号鍵盤となる〔図１０〕（１）（２）（３）を見ると、前項〔０１０５〕の場合とまったく同様に、英文、数字（数学）の２入力種の符号鍵盤が完全に一致し、和文のそれは内容的には英文、数字（数学）の２入力種と完全に一致して、それらの符号をカナ表記したものとなる。【０１０７】以上のような符号鍵あるいは鍵盤の設定によって、和文、英文、数字（数学）の三つの入力種のいずれにおいても、基本的に共通の動作によって多数の符号の簡単な入力が可能となるが、特に数字（数学）符号の場合に、以上のような操作のみでは入力できない多数の単位記号が残ることになる。
「アルファベット呼び出しの単位記号鍵盤」【０１０８】そこで、前項〔０１０７〕の問題を解決するために、ここで「アルファベット呼び出しの単位記号鍵盤」と仮称したシステムを構想する。【０１０９】すなわち、英文入力中あるいは入力後に、すでに入力された英文字母にカーソルを置いてこの字母を特定した後に、鍵盤切替キーを打つことによって、この字母を含む単位記号を登録した鍵盤を呼び出すように設定する。【０１１０】たとえば、〔図１１〕（１）の場合は、前項〔０１０９〕の操作において、画面上の英文字母「ｍ」あるいは「Ｍ」にカーソルを置いてこの字母「ｍ」あるいは「Ｍ」を特定した後に、鍵盤切替キーを打つことによって、この字母を含む単位記号を登録した鍵盤を呼び出した場合を示している。
「操作キーの位置の問題」【０１１１】先に、〔図１〕から〔図１２〕までの諸図に示したように、本発明においては、３行５列の入力鍵盤の下部、あるいは左部（左利きの入力者を想定した場合には右部）に操作キーを設定している。【０１１２】これは、３行５列の入力鍵盤の入力操作に、利き手の人差し指、中指、薬指、小指の４本の指を使用することを想定して、操作部の押し下げには親指を使用するための設計である。【０１１３】この設計によって、入力の動作と操作の動作をほぼ同時に行うことが可能になり、とりわけ頻繁に行われる鍵盤切替の動作を速めることができる。
「本発明のヴァリエーションとしての超小型パソコン等に特化した鍵盤の設計」【０１１４】本発明は、携帯電話やＰＤＡ（Ｐｅｒｓｏｎａｌ  Ｄｉｇｉｔａｌ  Ａｓｓｉｓｔａｎｔ）あるいは超小型パソコン等の携帯入力端末に使用するアルファベット使用入力鍵盤に関するものであるが、これらの携帯入力端末には、携帯電話等の小型化が生命線である機器と超小型パソコン等のように、ある程度小型化を犠牲にしても、その操作性や機能の全面的実現を追及する方が重要になる機器の二つに分かれる。【０１１５】以下の発明は、これまで記述してきた発明の要素の上に立って、特に超小型パソコンやある種のＰＤＡ等を対象としてある程度小型化の要素を犠牲にしても、その操作性や機能の全面的実現を追及するものである。【０１１６】すでに述べたように、本発明による鍵盤は、原理的には一般のパソコンと同等の操作性を持っている。【０１１７】しかし、現実には一般的な携帯電話やＰＤＡ（Ｐｅｒｓｏｎａｌ  Ｄｉｇｉｔａｌ  Ａｓｓｉｓｔａｎｔ）に用いられているような小型のキーとキーボードによっては、十分な操作性（操作の速度、安定性と入力時の疲労の回避）は得られない。【０１１８】また、一般的な携帯電話やＰＤＡ（Ｐｅｒｓｏｎａｌ  Ｄｉｇｉｔａｌ  Ａｓｓｉｓｔａｎｔ）等においては、入力の全面性を犠牲にして小型化が図られているので、一般のパソコンと同等の機能を持つことは不可能である。【０１１９】本発明のヴァリエーションとしての超小型パソコン等に特化した鍵盤の設計は、一つ一つのハードキーを一般のパソコンと同等の大きさにして、さらに一般のパソコンと同等の機能を持つことを可能にするような操作キーの追加設定によってなされる。【０１２０】まず、これまでに述べてきたような本発明の操作キーの設定は、携帯電話等を主として対象としてなされているので、これに若干の変更を加える。【０１２１】具体的には、〔図１〕（１）（２）等に示されている本発明の操作キーすなわち、鍵盤切替キー、クリアキー、入力切替キー、コピーキー、文字大小キーのうち、クリアキーとコピーキーを取り消して、かわりに〔図１２〕（１）（２）等に示されるようにＳｐａｃｅキーと機能切替キーを設定する。【０１２２】ついで、これまた〔図１２〕（１）（２）等に示されるよう、これまでの３行５列の入力キーの上方に、１行５列の操作キーを新しく追加し、さらにこれまでの３行５列の入力キーの右方に１列５行の操作キーを新しく追加する。【０１２３】これらの新しく追加されたキーは、一般的なパソコンの操作キーのなかでも重要な機能を持つ、Ｃｏｎｔｒｏｌ  ｋｅｙ，Ａｌｔｅｒｎａｔｅ  ｋｅｙ，Ｅｓｃａｐｅ  ｋｅｙ，Ｈｏｍｅ  ｋｅｙ，Ｅｎｄ  ｋｅｙ，Ｐａｇｅ  ｕｐ  ｋｅｙ，Ｐａｇｅ  ｄｏｗｎ  ｋｅｙ，Ｐａｇｅ  ｄｏｗｎ  ｋｅｙ，Ｅｎｔｅｒ  ｋｅｙ，Ｂａｃｋ  ｓｐａｃｅ  ｋｅｙ，Ｄｅｌｅｔｅ  ｋｅｙである。【０１２４】〔０１２３〕に示された以外にも一般的パソコンでは、多くの重要なキーを使用するが、そのようなキーは、〔０１２１〕で設定された機能切替キーをｎ回連続して押し下げることによって、呼び出すことにする。【０１２５】機能切替キーを１回押し下げて呼び出される鍵盤は、〔図１３〕（１）に示される和文入力パソコン型機能切替第１鍵盤であり、ここではＣｏｎｔｒｏｌ  ｋｅｙ，Ａｌｔｅｒｎａｔｅ  ｋｅｙ，Ｅｓｃａｐｅ  ｋｅｙ，等の基本的機能を持ったキーは、〔図１２〕（１）（２）等に示される和文入力パソコン型基本鍵盤と重複して設定されており、それ以外にＦ１からＦ１２までのファンクションとＦＮキーならびにファイル、編集等のパソコンで一般的に使用されるアイコンに対応するキーが設定されている。【０１２６】機能切替キーを２回連続して押し下げて呼び出される鍵盤は、〔図１４〕（１）に示される和文入力パソコン型機能切替第２鍵盤であり、そこではＣＤ、ＤＶＤ等への記録やＣＤ、ＤＶＤ等からの読み出し等パソコンで一般的に使用されるアイコンに対応するキーが設定されている。【０１２７】これらの機能キーを集成した鍵盤の個々のキーを押し下げることによって、その下位に属しているアイテムの一覧を機能指定鍵盤によって入力する。【０１２８】たとえば、〔図１５〕（１）は、〔図１３〕（１）の和文入力パソコン型機能切替第１鍵盤のファイルのキーを押し下げると出現する機能指定鍵盤である。【０１２９】〔図１６〕（１）は、〔０１８〕で呼び出された和文入力パソコン型機能切替第１鍵盤の送信の項を示すキーを押し下げると出現する二次的機能指定鍵盤である。【０１３０】以上のような設定を積み重ねて、ｎ次の機能指定鍵盤において、その項での選択の終了した最終のキーを押し下げることによって、具体的なコマンドが実現される。【０１３１】本発明における基本裏鍵盤、符号鍵盤、機能切替鍵盤、機能指定鍵盤等のあらゆる二次的鍵盤においては、そこでの入力が完成した時点で、ただちに自動的にその入力種の基本鍵盤あるいは基本表鍵盤にもどるように設計する。
【実施例と発明の効果】
【０１３２】本発明の重要な貢献の第一は、すでに〔図１〕（１）（２）について説明したように、和文入力の場合にすべての字母を基本的に子音＋母音の形に整理して、母音鍵盤と子音鍵盤を自動的に切り替えることによって、普通のパソコンの鍵盤の半数のキー数をもった鍵盤によって、普通のパソコンと同等の入力操作性を獲得した点にある。
【０１３３】本発明の和文入力の場合には、さらに母音鍵盤を五十音図を基本に構成することによって、一般のいわゆるｑｗｅｒｔｙ  ｂｏａｒｄ  を使用した和文入力以上の入力操作性を実現している。
【０１３４】また、母音鍵盤を五十音図を基本に構成することによって初心者の入力操作習得が、一般的なパソコンのｑｗｅｒｔｙ  ｂｏａｒｄ  やＪＩＳ方式に比して、格段に容易になる。
【０１３５】一方、この和文入力に対応する英文入力の場合は、英文綴りの特性に注目して、ｑとｋ、ｓとｘ、ｗとｖをそれぞれ同じキーに並存させて、合計２３個のキーによって、すべてのアルファベットの入力を可能にした結果、３行５列の鍵盤による英文入力中にただ１度の入力鍵盤の切替のシステムを用意することによって、英文のすべての字母および７個の英文符号の入力可能となる点が重要である。
【０１３６】以上の工夫によって、本発明においては３行５列合計１５個のハードキーによって、現今の３行１０列合計３０個の字母入力鍵盤に匹敵する入力操作性を獲得することができた。
【発明を実施するための最良の形態】
【０１３７】本発明は、携帯電話、超小型パソコン、電子辞書等のＰＤＡ、リモートコントローラ等における入力鍵盤に適している。
【産業上の利用可能性】
【０１３８】このなかで、携帯電話、電子辞書、リモートコントローラ等における入力鍵盤に本発明を適用した場合の効果は、これらの機器の従来の操作性を大きく上回る操作性を提供する点に見られる。【０１３９】このことによって、携帯電話、電子辞書等のＰＤＡ、リモートコントローラ等の機器と使用音との間の関係（インターフェイス）が大きく改善されて、使用者にとって親しみやすく、効率の高い入力が可能となる。【０１４０】一層重要なのは、この発明によって従来では不可能であった超小型パソコンの実現が可能になるということである。【０１４１】従来の入力方式による限り、機器を小型にするためには基本的にはハードキーを小型にするしか方法は無かった。【０１４２】たとえば携帯電話にもっとも特徴的な小型のハードキーを持った携帯端末では、高速で安定した入力はきわめて困難であり、入力には大きな疲労を伴っていた。【０１４３】これに対して、本発明では従来の電子辞書程度の大きさで、従来のハードキーと同様の大きさを持ったハードキーを備えた超小型のパソコンが設計可能となる。【０１４４】また、本発明のような３行５列の横長型字母入力鍵盤は、それに対応する横長型の画面デイスプレーを伴うが、これは従来の携帯電話のような縦長の鍵盤に付随する縦長の画面デイスプレーに比して、一層優れた機能を発揮することは、現今の縦長の鍵盤に対してさえ、特殊な工夫によって横長の画面デイスプレーを対応させることが多い点からも容易に理解できる。【０１４５】現在すでに、携帯電話でさえ高機能化や通信の高速化で、パソコン並みになっていくと見られており、さらに「現在の携帯電話の１０倍以上という通信速度と時速１００キロ程度の移動中もとぎれない安定性」（朝日新聞２００７年１０月１３日等）をもった屋外ネット接続による無線通信のサービスが２００９年には開始されると伝えられる。【０１４６】今後のこの分野での技術の進歩は容易に想像され、本発明のように従来のハードキーと同様の大きさを持ったハードキーを備えた超小型のパソコンが設計可能となれば、パソコンはその固定的性格を一掃し、現今の携帯電話なみの手軽さで日常生活のあらゆる場面で活用されるようになる。
【図１】
2009129438.tif 000004
【図１】
2009129438.tif 000005
【図２】
2009129438.tif 000006
【図２】
2009129438.tif 000007
【図３】
2009129438.tif 000008
【図３】
2009129438.tif 000009
【図４】
2009129438.tif 000010
【図４】
2009129438.tif 000011
【図５】
2009129438.tif 000012
【図６】
2009129438.tif 000013
【図６】
2009129438.tif 000014
【図７】
2009129438.tif 000015
【図７】
2009129438.tif 000016
【図７】
2009129438.tif 000017
【図８】
2009129438.tif 000018
【図８】
2009129438.tif 000019
【図８】
2009129438.tif 000020
【図９】
2009129438.tif 000021
【図９】
2009129438.tif 000022
【図９】
2009129438.tif 000023
【図１０】
2009129438.tif 000024
【図１０】
2009129438.tif 000025
【図１０】
2009129438.tif 000026
【図１１】
2009129438.tif 000027
【図１２】
2009129438.tif 000028
【図１２】
2009129438.tif 000029
【図１３】
2009129438.tif 000030
【図１４】
2009129438.tif 000031
【図１５】
2009129438.tif 000032
【図１６】
2009129438.tif 000033
【手続補正書】
【提出日】平成20年2月15日(2008.2.15)
【手続補正１】
【補正対象書類名】明細書
【補正対象項目名】全文
【補正方法】変更
【補正の内容】
【発明の詳細な説明】
【技術分野】
【０００１】本発明はたとえば携帯電話端末や超小型パソコンあるいはＰＤＡ（Ｐｅｒｓｏｎａｌ  Ｄｉｇｉｔａｌ  Ａｓｓｉｓｔａｎｔ）等の小型入力機器、および大型機器のリモートコントローラ等の入力装置に関するものである。
【背景技術】
【０００２】現在、携帯電話端末等の小型機器は、半導体技術の発展によって以前のパーソナルコンピューターに匹敵する極めて高度の機能を持つにいたっている。【０００３】したがってこれらの小型入力端末においても、一般的なパーソナルコンピューターと同様に、高度の文字、記号の入力機能や編集機能、あるいはインタネットへの接続等にふさわしい操作性が求められている。【０００４】しかしながら、これらの小型入力端末においては、最大限の小型化が必須の前提的要請となっており、パーソナルコンピューターのキーボードの５分の１にも満たないキー数しか備えられておらず、そのためにこの要求を満たすことはきわめて困難であった。【０００５】現在、少数のキー数によって高度の入力を勝ち取るために使用されている和文入力の方式は、携帯電話で一般的となっている、一つのハードキーに複数の字音を代表させ、これに別種の操作を加えてその字音を確定するという方式である。【０００６】この現在通用の携帯電話の入力方式は、特許公開２００１−１７５３９１（特許文献１）に始まる五十音図に依拠した方式である。【０００７】すなわち、テンキーに五十音図の１０行５段の文字配列を対応させて、各キーに子音行を代表させ、子音キーの連続打鍵によって、その母音を決定するものである。【０００８】これには、特許出願２００２−５７４３９（特許文献２）や特許公開２００５−１２８８０２（特許文献３）のように別に設けた母音段を決定する母音キーあるいは別種デバイスの押し下げによって、母音を決定する方式がある。【０００９】このように携帯電話の和文入力は五十音図に依拠するという日本語の特性に対応した優れた方式を採用することによって、使用時の抵抗感を減らし、一定の操作性を獲得するに至っている。【００１０】しかしながら、特許文献１に始まる現行の携帯電話の入力方式は、特許文献２の場合をも含めてタッチ数が極めて多くなるという欠点がある。【００１１】これに対して、たとえば子音行の確定に加えて別種デバイスの押し下げによって母音段を確定するという特許文献３のアイデアは、原理的には高度の操作性を実現するものであるが、その現実の入力動作における操作性には問題が残されている。【００１２】すなわち、この特許文献３のアイデアにおいては、筐体表面に置かれたテンキーに子音段の決定を役割を担わせ、筐体裏面に置かれた別種のデバイスの押し下げによって母音段が決定される。【００１３】この場合においては、テンキーと操作デバイスを片手の別の指で同時に操作できるので、子音段の決定と母音段の決定がほぼ同時になされるので、原理的にはきわめて迅速な入力が可能となる。【００１４】しかし、この方式における現実の入力動作においては、筐体表面に置かれたテンキーの入力動作における意識と筐体裏面に置かれた別種のデバイスの押し下げの意識が、同一表面上のそれでない（逆面操作）ことからくる矛盾感と、筐体表面に置かれたテンキーの入力動作における意識が右から左、上から下という直線的な性質を持つのに対して、筐体裏面に置かれた別種のデバイスの押し下げの意識が、一点の上下、左右に置かれた四つの点の選択という性格をもつことの間の矛盾感が重なり、実際の操作性は高いものとならない。【００１５】テンキーにおける子音段と母音段の決定に関しては、母音キーの位置を固定せず、一打目の子音キーにあわせてそれを取り囲むように母音を担当するキーを配列するという特許公開２００６−０２３９５０（特許文献４）の方式がある。【００１６】これはきわめて優れた発想であり、もし入力鍵盤が相当多くのキーから成り立っている場合には、理想的な効果が期待できる。【００１７】しかしながら、現実の携帯端末においては、キー数が限られているため、こうして自動的に出現した母音段を決定する機能をもったキーと、先に決定された子音段のキーとの位置関係が、さまざまな形をとることに成り、実際の入力動作が逆に煩瑣になるという欠点がある。
【発明の開示】
【発明が解決しようとする課題】
【００１８】本発明は、和文入力の場合に、日本語の表記を形式的に完全に子音＋母音の形に整理して、これに対応するように設計された子音鍵盤と母音鍵盤との自動的交代出現という方法によって、小型鍵盤に対しても大型鍵盤と同等の入力機能を保障しようとするものである。【００１９】すなわち、本発明は完全に子音キーあるいは子音扱いキーのみからなる子音鍵盤と、完全に母音キーあるいは母音扱いキーのみからなる子音鍵盤とを設定し、両者の自動的交代によって、和文入力の場合に従来のパソコンのハードキーの半数のハードキーによって、従来のパソコンと同等の入力性能を実現するように設計されている。【００２０】本発明は携帯電話端末や超小型パソコンあるいはＰＤＡ（Ｐｅｒｓｏｎａｌ  Ｄｉｇｉｔａｌ  Ａｓｓｉｓｔａｎｔ）等の小型入力機器、および大型機器のリモートコントローラ等の入力鍵盤における和文入力の高度な設計とそれに対応する英文入力鍵盤の設計を目指すものであるが、携帯電話を中心として現行方式と同様に小型のハードキーを使用して、カーソル移動や画面スクロールあるいは入力決定等の基本的操作を従来の方式に準拠して行う場合と、とりわけ超小型パソコンあるいはＰＤＡ（Ｐｅｒｓｏｎａｌ  Ｄｉｇｉｔａｌ  Ａｓｓｉｓｔａｎｔ）等を中心として、現行のパソコンと同様の大きさのハードキーを使用して、パソコンに準じた基本的操作鍵盤設計を伴う全面的な入力システムの確立を追求する場合の双方を含んでいる。
【課題を解決するための手段】「和文入力問題の解決」【００２１】本発明の追求する高度の和文入力方式を実現するための子音鍵盤と母音鍵盤の交代的出現という方法のために、〔図１〕（１）（２）のように、４行５列の鍵盤を、上部３行５列の記号入力キーと下部１行５列の操作キーとに分ける。【００２２】下部１行５列の操作キーは、〔図１〕（１）（２）のように、左から順に、鍵盤切替キー、クリアキー、入力種切替キー、コピーキー、文字大小切替キーとする。【００２３】上記〔００２２〕での鍵盤切替キー、クリアキー、入力種切替キー、コピーキー、文字大小切替キーは、図面での表記は、鍵盤切替、クリア、入力切替、コピー、文字大小となっている。【００２４】操作キー配置のバリエーションとして、〔図３〕（１）（２）のように、３行６列の鍵盤を最左の第一列３行に下から順に、鍵盤切替キー、クリアキー、入力種切替キーを配置し、残った３行５列を記号キーに当てる方式もありうる。【００２５】このうち、入力種切替キーは、押し下げられるたびに、入力種が英文、和文、絵文字、数字の順に切替えられ、また、切替えた結果その時点で行われることになる入力種が画面最上部あるいは最下部に表示される。【００２６】鍵盤切替キーは、入力種が英文、和文、数字の場合には、所定の回数の打鍵によって必要とされる符号鍵盤を呼び出し、絵文字の場合には、所定の回数の打鍵によって異なる相位あるいは階層の絵文字鍵盤を呼び出すように設定する。【００２７】文字大小切替キーは、和文の文章の入力中に打鍵した場合には、たとえば「やつた」「ちやんと」と「やった」「ちゃんと」の場合のように、その直前に入力された一定数の和文字母中に小型文字表記にふさわしい字母があった場合それを小型文字に変え、普通文字表記にふさわしい字母が小型文字で表記されている場合、それを普通文字に書替えるとともに、英文の入力中ではその直前に入力された小文字を大文字に、大文字を小文字に変換する。【００２８】文字大小切替キーは、文章の入力後にカーソルキーによって、切替箇所を指定したのちに打鍵した場合には、和文の場合には「つ」「や」等の普通の字体を「っ」「ゃ」等の小型の字体に、「っ」「ゃ」等の小型の字体を「つ」「や」等の普通の字体に変え、英文の場合には、大文字を小文字に、小文字を大文字に変える。【００２９】具体的に和文入力の場合には、〔図１〕（１）の子音入力鍵盤、（２）の母音入力鍵盤のように、子音入力のための３行５列の記号キー入力鍵盤と母音入力のための３行５列の記号キー入力鍵盤という二つの鍵盤を用意する。【００３０】この二つの鍵盤は、子音入力鍵盤が押し下げられて子音あるいは子音扱いの字母が入力されると、鍵盤が自動的に母音入力鍵盤に切り替えられ、母音入力鍵盤が押し下げられて母音あるいは母音扱いの字母が入力されると、鍵盤が自動的に子音入力鍵盤に切り替えられるように、設定される。【００３１】〔図１〕（１）の３行５列の子音入力鍵盤は、見られるように、最左端最上端の第１行第１列のキーを無音の子音符にあて、その右の第２列のキーをｋキーに、第３列のキーをｓキーに、第４列のキーをｔキーに、第５列のキーをｎキーにあて、第２行第１列のキーをｆｈキーに、第２列のキーをｍキーに、第３列のキーをｙキーに、第４列のキーをｒキーに、第５列のキーをｗｖキーに、第３行第１列のキーをｇキーに、第２列のキーをｚキーに、第３列のキーをｄキーに、第４列のキーをｂキーに、第５列のキーをｐキーに当てる。【００３２】上記の子音入力鍵盤の場合、ｆｈキーはそれが母音と結合したときに、たとえば「は」と「ふぁ」のように、二種の字母を表すので、この場合にはこの二種の入力結果を画面上に表示して、「は」を選ぶ場合には無操作で入力を続け、「ふぁ」を選ぶ場合には、カーソル等でそれを選択することにする。【００３３】上記の子音入力鍵盤の場合、ｗｖキーはそれが母音と結合したときに、たとえば「わ」と「ヴァ」のように、二種の字母を表すので、この場合にはこの二種の入力結果を画面上に表示して、「わ」を選ぶ場合には無操作で入力を続け、「ヴァ」を選ぶ場合には、カーソル等でそれを選択することにする。【００３４】上記の子音入力鍵盤の場合、無音の子音符はいわば子音鍵盤の位取りとして機能し、その後に押し下げられるキーが母音鍵盤に属することを指示する。【００３５】〔図１〕の（２）の３行５列の母音入力鍵盤は、見られるように、最左端最上端の第１行第１列のキーをｙａにあて、その右の第２列のキーをｙｕキーに、第３列のキーをｙｏキーに、第４列のキーをｔキーを促音化するキーすなわち促音符に、第５列のキーをｎキーを鼻音化するキーすなわち鼻音符にあて、第２行第１列のキーをａキーに、第２列のキーをｉキーに、第３列のキーをｕキーに、第４列のキーをｅキーに、第５列のキーをｏキーに、第３行第１列のキーをａｉキーに、第２列のキーをｕｉキーに、第３列のキーをｕｕキーに、第４列のキーをｅｉキーに、第５列のキーをｏｕキーに当てた鍵盤である。【００３６】上記の母音入力鍵盤の場合、第１行第１列から第３列までのキーは、子音（あるいは子音符）と結びついて母音扱いの拗音を入力するために使われ、その後のキーは自動的に子音扱いとなる。【００３７】上記の母音入力鍵盤の場合、第１行第４列の子音用の鍵盤のｔに当たるキーを促音符として、子音用の鍵盤のｔに当たるハードキーを押し下げた直後にこの同じハードキーを押し下げたばあい、この本来母音用のキーが先のｔキーと連結して促音の「っ」を入力するように設定する。【００３８】この場合、最初に押し下げられたｔキーはｔ子音を表し、二度目に押し下げられたｔキーは促音符として、促音の「っ」の母音部分を表すものとする。【００３９】上記の母音入力鍵盤の場合に、子音と母音の交替を保障するために、第１行第５列の子音用の鍵盤のｎに当たる位置に置かれた母音用のキーを鼻音符として、子音用の鍵盤のｎのキーを押し下げた直後にこの同じハードキーを押し下げたばあい、この本来母音用のキーが先のｎキーと連結して鼻音の「ん」を入力するように設定する。【００４０】この場合、最初に押し下げられたｎキーはｎ子音を表し、二度目に押し下げられた同じハードキーは母音入力鍵盤に属する鼻音符として、形式上、鼻音の「ん」の母音部分を表すものとする。【００４１】上記の母音入力鍵盤の場合、第３行第１列から第５列までの二重母音キーは、二重母音の漢字音の全てに対応している。【００４２】たとえば、対応の対はｔ＋ａｉ、応は子音符＋ｏｕ、形式の形はｋ＋ｅｉ、遂行の遂はｓ＋ｕｉ、行はｋ＋ｏｕ、交通の交はｋ＋ｏｕ、通はｔ＋ｕｕである。【００４３】ただし、渋滞の渋、入学の入、超越の超等の拗音を含んだ二重母音は、このような方式では入力できないので、まずｚ＋ｙｕとして「じゅ」の音を入力したあと、子音符＋ｕと入力してあわせて「じゅう」の音を表現することとする。入はｎ＋ｙｕとして「にゅ」の音を入力したあと、子音符＋ｕと入力してあわせて「にゅう」の音を表現することとする。その他の場合も同様である。【００４４】以上のように、本発明は和文入力においては、五十音図のローマナイズを基礎としているが、かならずしもアルファベットに親しみを持たない層に対して、現在一般の携帯入力に用いられている入力記号の平かな表記を、そのバリエーションとして採用し、〔図２〕（１）（２）のような鍵盤を提供する。【００４５】すなわち、和文入力基本表鍵盤としての子音鍵盤を、〔図２〕（１）のように、その第１行の第１列に子音符、第２列に「か」、第３列に「さ」、第４列に「た」、第５列に「な」、第２行の第１列に「は」、第２列に「ま」、第３列に「や」、第４列に「ら」、第５列に「わ」、第３行の第１列に「が」、第２列に「ざ」、第３列に「だ」、第４列に「ば」、第５列に「ぱ」のように設定し、和文入力基本裏鍵盤としての母音鍵盤を、〔図２〕（２）のように、その第１行の第１列に「や」、第２列に「ゆ」、第３列に「よ」、第４列に「っ」、第５列に「ん」、第２行の第１列に「あ」、第２列に「い」、第３列に「う」、第４列に「え」、第５列に「お」、第３行の第１列に「あい」、第２列に「うい」、第３列に「うう」、第４列に「えい」、第５列に「おう」のように設定する。【００４６】上記の〔００４５〕に示された鍵盤の機能は、〔図１〕（１）（２）に示された五十音図のローマナイズをそのままに記した鍵盤との場合とまったく同様である。【００４７】すなわち、たとえば〔図２〕（１）の子音鍵盤の第１行第４列の「た」のキーを押し下げたあと、引き続き同じハードキーを押し下げると、このキーは、母音鍵盤の第１行第５列の促音符として読み取られ、「っ」が入力される。【００４８】同様に、たとえば、〔図２〕（１）の子音鍵盤の第１行第５列の「な」のキーを押し下げたあと、引き続き同じハードキーを押し下げると、このキーは、母音鍵盤の第１行第５列の「ん」のキーとして読み取られ、「ん」が入力される。【００４９】また、拗音の場合として、〔図２〕（１）の子音鍵盤の第１行第２列の「か」のキーを押し下げたあと、引き続き同じハードキーを押し下げると、このキーは、母音鍵盤の第１行第２列の「ゆ」のキーとして読み取られ、「きゅ」が入力される。【００５０】同様に、二重母音の場合として、〔図２〕（１）の子音鍵盤の第１行第２列の「か」のキーを押し下げたあと、引き続きハードキーの第３行の第１列を押し下げると、このキーは、母音鍵盤の第３行第１列の「あい」のキーとして読み取られ、「かい」が入力される。【００５１】この鍵盤によって、たとえば特許公開と入力するためには、ｔ（子音１打）ｏ（母音１打）ｔｔ（子音１打母音１打）ｋ（子音１打）ｙｏ（拗母音１打）ｋ（子音１打）ｏｕ（母音１打）ｋ（子音１打）ａｉ（母音１打）となり、計１０打となる。【００５２】これに対して、現在の携帯端末の場合は、と（５打）っ（カーソル１打、６打）き（２打）ょ（５打）こ（５打）う（３打）か（１打）い（２打）で、計３１打となる上、１打で入力できる場合から計７打での入力に至るまで、ばらつきが大きくリズミカルな入力は不可能である。【００５３】上記の特許文献３の場合には、同様の入力は、と（２打）っ（カーソル１打、２打）き（２打）ょ（２打）こ（２打）う（２打）か（１打）い（２打）となって、計１６打となる。【００５４】したがって、本発明の打鍵数がもっとも少なく、また特許文献３の場合には、二つの指に異種の動きを与えるという操作性の問題があり、さらに英文等の入力種での問題は解決されていない。【００５５】本発明の場合は、３行５列計１５個のハードキーを使用するので、テンキー使用の場合ほどは制約が大きくないが、以上のような設定によって、この１５個のキーに、３０個のキーと同等の機能をもたせることができる。
「英文入力問題の解決」【００５６】現在一般的に使用されている携帯電話等の小型入力鍵盤におけ英文入力に際しての最大の問題は、ひとつのキーにａｂｃの場合のように３個の字母を割り当てるものから、ｐｑｒｓの場合のように４個の字母を割り当てるものまで、一つの字母の入力に３回から４回のキーの押し下げが必要であることである。【００５７】さらに、そこでは３回のキーの押し下げと４回のキーの押し下げが、混在することからくる入力リズムの狂いの問題がある。【００５８】このような携帯電話等の小型入力端末における英文入力方式に共通する困難の基本的原因は、いわゆるテンキーにおける最大限１２個のハードキーにアルファベット２６文字を配置しなければならないという制約に起因している。【００５９】しかし、アルファベット２６文字の英語入力に対する関係は、その字母としての歴史と関連して一様ではない。【００６０】すなわち、アルファベット２６文字中、ＫとＱ、ＳとＸ、ＶとＷの三組の字母は、綴り字に対する関係において、相補的な関係にある。【００６１】たとえばＫあるいはＱを含む任意のある英単語の綴りにおいて、原則としてそのなかにＫが使われる部分をＱに置き換えた単語は存在せず、逆にＱが使われる部分にＫが使われた単語も存在しない。【００６２】こうして、ＫＥＹという単語が存在すれば、ＱＥＹという単語は存在せず、ＱＵＥＳＴＩＯＮという単語が存在すれば、ＫＵＥＳＴＩＯＮという単語は存在しない。【００６３】これは、たとえばフランス語、ドイツ語をも含めて、印欧語系における字母表記においては、Ｑ＋ＵがＫと等価の子音扱いになるためである。【００６４】これほど明確ではないが、同様の関係がＳとＸ、ＶとＷの二組の字母においても原則的に成立する。【００６５】したがって、同一のハードキーにＫとＱあるいはＳとＸあるいはＶとＷという二つの字母を同時に設定した携帯入力装置によって、計２３のハードキーによるアルファベット英文入力が可能になる。【００６６】たとえばＫとＱをあわせたハードキーを仮に＊印キーと表記した場合、ＱＵＥＳＴＩＯＮという単語は、＊ＵＥＳＴＩＯＮと入力されることになる。【００６７】一方、携帯端末のメモリーには、ＱＵＥＳＴＩＯＮという単語を登録しておき、＊ＵＥＳＴＩＯＮという入力が、この登録と照合させることによって、正しくＱＵＥＳＴＩＯＮと表示入力されるように設定する。【００６８】たとえば、ｅｓｏｔｅｒｉｃ（秘伝の）とｅｘｏｔｅｒｉｃ（平凡な）のような極めて少数の例外もあるが、この場合には、両単語をともに表示して改めてカーソルと決定キーによって必要単語を確定することにする。【００６９】以上の工夫によって、小型の入力鍵盤においては、最小限２３個のキーでアルファベットの入力が可能になる。【００７０】そこで、この２３個のキーに７個の英文の基本的符号キーを加えたものを二つの鍵盤に割り当ててこの二つの鍵盤を相互に切り替えるように設定すれば、キーの押し下げ回数の減少とリズミカルな入力という二つの問題を、同時に解決することができる。【００７１】本発明においては英文字母を割り当てた鍵盤を、英文入力基本表鍵盤（〔図４〕（１））と英文入力基本裏鍵盤（〔図４〕（２））に分けて、英文入力基本表鍵盤での入力中に鍵盤切替キーを１打すると、英文入力基本裏鍵盤に入るように、またこの英文入力基本裏鍵盤での入力がなされると直ちに自動的に鍵盤が英文入力基本表鍵盤に切替られるように設定する。【００７２】〔図４〕（１）に示した英文入力基本表鍵盤は、〔図１〕（１）に示した和文入力基本表鍵盤の第１行、第１列の子音符をコンマに、第２列のｋキーをｋｑキーに、ｓキーをｓｘキーに、ｈｆキーをｈキーに変えたものである。【００７３】〔図４〕（２）に示した英文入力基本裏鍵盤は、〔図１〕（２）に示した和文入力基本表鍵盤の第１行を取り去ってその代わりに、第１列から順に、．（ピリオド）キー、ｃキー、ｆキー、ｊキー、ｌキーを設定し、第２行はそのままにして、第３行を、第１列から順に‐（ハイフン）キー、？キー、！キー、；キー、：キーに置き換えたものである。【００７４】今仮に、この〔図４〕の（１）英文入力基本表鍵盤を表、（２）英文入力基本裏鍵盤を裏、切替キー（入力鍵盤切替キー）を換、と表記して、ｈａｒｄ  ｋｅｙと入力する場合の打鍵数を示すと、ｈ（表１打）ａ（表１打）ｒ（換１打、裏１打）ｄ（表１打）ｋ（表１打）ｅ（表１打）ｙ（換１打、裏１打）となり、計９打での入力が可能となる。【００７５】これを、一般的な携帯電話での方式によってｈａｒｄ  ｋｅｙと入力する場合を見ると、ｈ（２打）ａ（１打）ｒ（３打）ｄ（１打）ｋ（２打）ｅ（２打）ｙ（３打）となり、計１４打となる。【００７６】比較すると本発明の場合は、一般的な方式の六割強の打数となる。【００７７】また英文入力種に入る操作を比較すると、本発明の場合には、最大限３回の入力種切替キーの押し下げが必要であるが、一般的な方式では、最大限７回の入力種切替キーの押し下げが必要となる。【００７８】なお、本発明のように英文入力を設定した場合の、ひとつの困難は、単語の場合ではなく、単なる符号としてＫとＱ、ＳとＸ、ＶとＷの三組の字母のうちのいずれかを単独に入力せざるを得ない状況が発生することである。【００７９】この点については、この困難を解決するためにあらたに正規の手順を設定した携帯入力装置が、入力方式の複雑化をきたすことを恐れて、これらのキーたとえばＫとＱを同時に表わすキーを三連打した場合に、ＫＫＫとＱＱＱの二つの入力結果を表示して、あらためてそのいずれかを選ぶ方式を採用する。【００８０】この場合、たとえば、ｑｕｉｃｋと入力したあと、ｕｉｃｋの部分を消去してｑを入力し、ｑｕｉｃの部分を消去してｋを入力し、ｓｉｘと入力しあとｓｉの部分を消去してｘを入力し、ｉｘの部分を消去してｓを入力し、あるいはｖｏｗと入力したあと、ｖｏの部分を消去してｗを入力し、ｏｗの部分を消去してｖを入力するように、単に一定の短い綴りの単語を入力し、あらためてカーソルキーとクリアキーによって、不要な綴りを消去して、もとめる字母を確定することも可能である。
「数字入力、数字（数学）符号入力の問題」【００８１】一般的な携帯電話の場合には、文章中の数字入力と、電話番号の入力等の直接外部環境と接触する場合とでは、数字入力の扱いが異なっており、「＃」や「＊」等の符号の扱いが異なっている。【００８２】本発明においては、数字入力の基本鍵盤に「＃」や「＊」等の符号を設定して直接外部環境との接触を可能にするとともに、数字入力を和文入力、英文入力、絵文字入力等と対等の入力種として、文章中の数字入力においても直接外部環境と接触する場合と同様のシステムでの入力を行う。【００８３】具体的には、〔図５〕に示すように、３行５列の数字入力の基本鍵盤の第１行に、左から順に「＃」、「＊」、「／」、「．」（ピリオド）、「‐」（ハイフン）の５個の記号入力キーを設定し、第２行に、左から順に、１、２、３、４、５の５個の数字入力キーを設定し、第３行に、左から順に、６、７、８、９、０の５個の数字入力キーを設定する。【００８４】さらに、〔図６〕（２）、〔図７〕（３）、〔図８〕（３）、〔図９〕（３）、〔図１０〕（３）等に見えるように、鍵盤切替キーを一定回数押し下げることによって、数字符号（数学符号）を系統的に呼び出せるシステムを用意する。【００８５】すなわち、数字入力中に入力鍵盤切替キー（図では鍵盤切替と表記）を１度押し下げることによって〔図６〕（２）の数字符号基本鍵盤に、入力鍵盤切替キー（図では鍵盤切替と表記）を２度連続して押し下げることによって〔図７〕（３）の数字符号第１鍵盤に、入力鍵盤切替キー（図では鍵盤切替と表記）を３度連続して押し下げることによって〔図８〕（３）の数字符号第２鍵盤に、入力鍵盤切替キー（図では鍵盤切替と表記）を４度連続して押し下げることによって〔図９〕（３）の数字符号第３鍵盤に、入力鍵盤切替キー（図では鍵盤切替と表記）を５度連続して押し下げることによって〔図１０〕（３）の数字符号第４鍵盤に、入るように設定する。【００８６】この場合、こうして呼び出された諸符号鍵盤は、そのたびに画面に半透明にかぶせた状態あるいは不透明で縮小されて画面の一部に示される状態で、表示され、入力者はこの表示を参照して該当するキーを押し下げると該当のキーが入力されるように設定する。【００８７】このようにして入力可能になる数字（数学）符号は、数字入力基本鍵盤の場合に５個（１度のキーの押し下げによって入力）、数字符号基本鍵盤の場合に１５個（２度のキーの押し下げによって入力）、数字符号第１鍵盤の場合に１５個（３度のキーの押し下げによって入力）、数字符号第２鍵盤の場合に１５個（４度のキーの押し下げによって入力）、数字符号第３鍵盤の場合に１５個（５度のキーの押し下げによって入力）となり、５度以内のキーの押し下げによって計６５個の符号が入力できる。【００８８】これをたとえば、携帯電話での一般的な符号入力の場合の１モデルとして、６行１０列で数字符号の一覧をつくり、これを画面上でカーソルによってたどる場合と比較すると、数字入力から数字符号入力に入るために１回（あるいはそれ以上の）のキーの押し下げが必要であり、さらにこれに０回から１４回まで、６０個のアイコンで表現された符号にたどり着くまで総計４２０回のカーソル移動すなわち平均７回のカーソル移動が必要となり、さらにこれを確定するために１回のキーの押し下げが必要となる。【００８９】以上によって、携帯電話での一般的な符号入力の平均的な場合と比較すれば、本発明の場合のもっともキーの押し下げ回数の多い場合であっても、より単純で高速の入力が可能であることが理解できる。【００９０】また、携帯電話での一般的な符号入力の場合、たとえば６行１０列で数字符号の一覧のなかから目的のアイコンを選ぶことになるが、本発明の場合は、１鍵盤に対して１５個づつ符号が割り当てられた鍵盤を選択し、さらにそこから目的の符号を選ぶことになり、習熟すれば瞬時の入力が可能になる。【００９１】以上のような数字（数学）符号鍵盤の構成は、数字入力基本鍵盤、数字符号基本鍵盤、数字符号第１鍵盤、数字符号第２鍵盤、数字符号第３鍵盤の順に、基本的な符号から応用的あるいは高度の記号へという方向での構成原理と、和文符号鍵盤、英文符号鍵盤との共通性の確保という二つの原理の総合によって決定されるので、和文符号鍵盤と英文符号鍵盤の紹介を済ませた後に、再び数字（数学）符号鍵盤の構成に触れることとする。
「和文符号入力、英文符号入力、数字（数学）符号入力の統合的設計の問題」【００９２】前項〔００９１〕で触れたように、本発明における符号入力鍵盤の構成は、各入力種における基本的な符号から応用的あるいは高度の記号へという方向での構成原理と、和文符号鍵盤、英文符号鍵盤、数字（数学）符号鍵盤という３種の入力種のあいだにおける共通性の確保という二つの原理の総合によって決定される【００９３】ここでいう３種の入力種のあいだにおける共通性の確保とは、英文符号、和文符号、数字（数学）符号の３種の入力において、入力種にかかわりなく、入力鍵盤切替キーを同一回数押し下げた場合に呼び出される符号入力鍵盤をできる限り、共通性の高いものにするという意味である。【００９４】このような方法をとる場合には、二つの基本的な困難がある。【００９５】第一の困難は、この３種の入力種においてそれぞれの基本字母の入力から符号の入力に移る時期に相違があるという問題である。【００９６】第二の困難は、この３種の入力種相互が本来異質なものであるから、符号の一致は限られたものとならざるを得ないという問題である。【００９７】まず〔００９５〕で示した問題について見れば、和文入力鍵盤は、すでに見たように五十音を子音鍵盤と母音鍵盤の二つの鍵盤に分けるけれども、この二つの鍵盤は相互に自動的に切り替わるように設定されているので、子音鍵盤から母音鍵盤へ、あるいはその逆への切替は入力鍵盤切替キーの押しさげを必要としない形でなされ、数字（数学）入力鍵盤では１５のキーのなかで１０個のキーのみによって数字入力が可能であり、残余の５個のキーは、符号入力にまわすことができる。【００９８】これに対して、英文入力の場合には、英文字母の入力のために二つの鍵盤が必要となり、この鍵盤の切替のために入力鍵盤切替キーを押し下げる必要がある。【００９９】本発明においては、このギャップを埋めるために、和文符号入力の場合と数字（数学）符号入力の場合に、それぞれ入力鍵盤切替キーを１回押し下げることによって入る和文符号基本鍵盤と数字符号基本鍵盤をおいて緩衝の機能を設定し、和文符号、数字（数学）符号、英文符号の３種の符号入力鍵盤の構成の一致を、入力鍵盤切替キーを２回押し下げることによって入る各種符号第１鍵盤からはじめることとする。【０１００】緩衝の機能は、和文符号基本鍵盤の場合と数字（数学）符号基本鍵盤の場合に、前者の場合にはまず、〔図６〕（１）に見られるように、英文入力基本表裏鍵盤に含まれるすべての符号を含み、さらに和文のみに特殊に使用される符号を含む鍵盤を設定し、後者の場合には、〔図６〕（２）に見られるように、英文入力基本表裏鍵盤に含まれるすべての符号を含み、さらに数字（数学）にのみに特殊に使用される符号を含む鍵盤を設定した携帯入力装置によってなされる。【０１０１】こうして、〔図７〕（１）（２）（３）に見られる和文、英文、数字（数学）各入力種の第１符号鍵盤に至って、この三つの入力種に共通あるいは相似の符号を、鍵盤上の同一位置に配置する条件が基本的に整備されるが、そこでの一つの困難は、数字（数学）符号入力の場合に、すでにその基本鍵盤（〔図５〕）に、＃、＊、／、等の電話番号入力やメール入力に必要な基本的な記号の一部が設定されていることである。【０１０２】そこで、和文、英文、数字（数学）各入力種の符号第１鍵盤の設計に当たっては、数字（数学）入力種の符号第１鍵盤の場合には、その第１行の第１列から第４列までの、基本鍵盤（〔図５〕（１）にすでに
2009129438.tif 000034
ては、その使用が絶無と言ってよい符号を設定し、残った第４列と第５列には和文、英文、数字（数学）各入力種の符号第１鍵盤に共通する符号として、／／、＠を設定した携帯入力装置にする。【０１０３】こうして、設計された〔図７〕（１）（２）（３）に見られる和文、英文、数字（数学）各入力種の符号第１鍵盤を見ると、その第１行は、和文符号と英文符号がまったく一致し、数字（数学）符号は他の入力種と一致する第４列の／／と第５列の＠を除いて、他の入力種とはまったくことなっており、第２行は三つの鍵盤が完全に一致し、第３行は、英文符号と数字（数学）符号がまったく一致し、和文符号はその他の二つの鍵盤と一致あるいは相似している。【０１０４】つづいて、和文、英文、数字（数学）各入力種の符号第２鍵盤となる〔図８〕（１）（２）（３）を見ると、和文、英文、数字（数学）各入力種の符号鍵盤が、ここでは完全に一致する。【０１０５】さらに、和文、英文、数字（数学）各入力種の符号第３鍵盤となる〔図９〕（１）（２）（３）を見ると、英文、数字（数学）の２入力種の符号鍵盤が完全に一致し、和文のそれは内容的には英文、数字（数学）の２入力種と完全に一致して、それらの符号をカナ表記したものとなる。【０１０６】さらに、和文、英文、数字（数学）各入力種の符号第４鍵盤となる〔図１０〕（１）（２）（３）を見ると、前項〔０１０５〕の場合とまったく同様に、英文、数字（数学）の２入力種の符号鍵盤が完全に一致し、和文のそれは内容的には英文、数字（数学）の２入力種と完全に一致して、それらの符号をカナ表記したものとなる。【０１０７】以上のような符号鍵あるいは鍵盤の設定によって、和文、英文、数字（数学）の三つの入力種のいずれにおいても、基本的に共通の動作によって多数の符号の簡単な入力が可能となるが、特に数字（数学）符号の場合に、以上のような操作のみでは入力できない多数の単位記号が残ることになる。
「アルファベット呼び出しの単位記号鍵盤」【０１０８】そこで、前項〔０１０７〕の問題を解決するために、ここで「アルファベット呼び出しの単位記号鍵盤」と仮称したシステムを構想する。【０１０９】すなわち、英文入力中あるいは入力後に、すでに入力された英文字母にカーソルを置いてこの字母を特定した後に、鍵盤切替キーを打つことによって、この字母を含む単位記号を登録した鍵盤を呼び出すように設定する。【０１１０】たとえば、〔図１１〕の場合は、前項〔０１０９〕の操作において、画面上の英文字母「ｍ」あるいは「Ｍ」にカーソルを置いてこの字母「ｍ」あるいは「Ｍ」を特定した後に、鍵盤切替キーを打つことによって、この字母を含む単位記号を登録した鍵盤を呼び出した場合を示している。
「操作キーの位置の問題」【０１１１】先に、〔図１〕から〔図１２〕までの諸図に示したように、本発明においては、３行５列の入力鍵盤の下部、あるいは左部（左利きの入力者を想定した場合には右部）に操作キーを設定している。【０１１２】これは、３行５列の入力鍵盤の入力操作に、利き手の人差し指、中指、薬指、小指の４本の指を使用することを想定して、操作部の押し下げには親指を使用するための設計である。【０１１３】この設計によって、入力の動作と操作の動作をほぼ同時に行うことが可能になり、とりわけ頻繁に行われる鍵盤切替の動作を速めることができる。
「本発明のヴァリエーションとしての超小型パソコン等に特化した鍵盤の設計」【０１１４】本発明は、携帯電話やＰＤＡ（Ｐｅｒｓｏｎａｌ  Ｄｉｇｉｔａｌ  Ａｓｓｉｓｔａｎｔ）あるいは超小型パソコン等の携帯入力端末に使用するアルファベット使用入力鍵盤に関するものであるが、これらの携帯入力端末には、携帯電話等の小型化が生命線である機器と超小型パソコン等のように、ある程度小型化を犠牲にしても、その操作性や機能の全面的実現を追及する方が重要になる機器の二つに分かれる。【０１１５】以下の発明は、これまで記述してきた発明の要素の上に立って、特に超小型パソコンやある種のＰＤＡ等を対象としてある程度小型化の要素を犠牲にしても、その操作性や機能の全面的実現を追及するものである。【０１１６】すでに述べたように、本発明による鍵盤は、原理的には一般のパソコンと同等の操作性を持っている。【０１１７】しかし、現実には一般的な携帯電話やＰＤＡ（Ｐｅｒｓｏｎａｌ  Ｄｉｇｉｔａｌ  Ａｓｓｉｓｔａｎｔ）に用いられているような小型のキーとキーボードによっては、十分な操作性（操作の速度、安定性と入力時の疲労の回避）は得られない。【０１１８】また、一般的な携帯電話やＰＤＡ（Ｐｅｒｓｏｎａｌ  Ｄｉｇｉｔａｌ  Ａｓｓｉｓｔａｎｔ）等においては、入力の全面性を犠牲にして小型化が図られているので、一般のパソコンと同等の機能を持つことは不可能である。【０１１９】本発明のヴァリエーションとしての超小型パソコン等に特化した鍵盤の設計は、一つ一つのハードキーを一般のパソコンと同等の大きさにして、さらに一般のパソコンと同等の機能を持つことを可能にするような操作キーの追加設定によってなされる。【０１２０】まず、これまでに述べてきたような本発明の操作キーの設定は、携帯電話等を主として対象としてなされているので、これに若干の変更を加える。【０１２１】具体的には、〔図１〕（１）（２）等に示されている本発明の操作キーすなわち、鍵盤切替キー、クリアキー、入力切替キー、コピーキー、文字大小キーのうち、クリアキーとコピーキーを取り消して、かわりに〔図１２〕（１）（２）等に示されるようにＳｐａｃｅキーと機能切替キーを設定する。【０１２２】ついで、これまた〔図１２〕（１）（２）等に示されるよう、これまでの３行５列の入力キーの上方に、１行５列の操作キーを新しく追加し、さらにこれまでの３行５列の入力キーの右方に１列５行の操作キーを新しく追加する。【０１２３】これらの新しく追加されたキーは、一般的なパソコンの操作キーのなかでも重要な機能を持つ、Ｃｏｎｔｒｏｌ  ｋｅｙ，Ａｌｔｅｒｎａｔｅ  ｋｅｙ，Ｅｓｃａｐｅ  ｋｅｙ，Ｈｏｍｅ  ｋｅｙ，Ｅｎｄ  ｋｅｙ，Ｐａｇｅ  ｕｐ  ｋｅｙ，Ｐａｇｅ  ｄｏｗｎ  ｋｅｙ，Ｐａｇｅｄｏｗｎ  ｋｅｙ，Ｅｎｔｅｒ  ｋｅｙ，Ｂａｃｋ  ｓｐａｃｅ  ｋｅｙ，Ｄｅｌｅｔｅ  ｋｅｙである。【０１２４】〔０１２３〕に示された以外にも一般的パソコンでは、多くの重要なキーを使用するが、そのようなキーは、〔０１２１〕で設定された機能切替キーをｎ回連続して押し下げることによって、呼び出すことにする。【０１２５】機能切替キーを１回押し下げて呼び出される鍵盤は、〔図１３〕に示される和文��力パソコン型機能切替第１鍵盤であり、ここではＣｏｎｔｒｏｌ  ｋｅｙ，Ａｌｔｅｒｎａｔｅ  ｋｅｙ，Ｅｓｃａｐｅ  ｋｅｙ，等の基本的機能を持ったキーは、〔図１２〕（１）（２）等に示される和文入力パソコン型基本鍵盤と重複して設定されており、それ以外にＦ１からＦ１２までのファンクションとＦＮキーならびにファイル、編集等のパソコンで一般的に使用されるアイコンに対応するキーが設定されている。【０１２６】機能切替キーを２回連続して押し下げて呼び出される鍵盤は、〔図１４〕に示される和文入力パソコン型機能切替第２鍵盤であり、そこではＣＤ、ＤＶＤ等への記録やＣＤ、ＤＶＤ等からの読み出し等パソコンで一般的に使用されるアイコンに対応するキーが設定されている。【０１２７】これらの機能キーを集成した鍵盤の個々のキーを押し下げることによって、その下位に属しているアイテムの一覧を機能指定鍵盤によって入力する。【０１２８】たとえば、〔図１５〕は、〔図１３〕の和文入力パソコン型機能切替第１鍵盤のファイルのキーを押し下げると出現する機能指定鍵盤である。【０１２９】〔図１６〕は、〔０１２８〕で呼び出された和文入力パソコン型機能切替第１鍵盤の送信の項を示すキーを押し下げると出現する二次的機能指定鍵盤である。【０１３０】以上のような設定を積み重ねて、ｎ次の機能指定鍵盤において、その項での選択の終了した最終のキーを押し下げることによって、具体的なコマンドが実現される。【０１３１】本発明における基本裏鍵盤、符号鍵盤、機能切替鍵盤、機能指定鍵盤等のあらゆる二次的鍵盤においては、そこでの入力が完成した時点で、ただちに自動的にその入力種の基本鍵盤あるいは基本表鍵盤にもどるように設計する。
【実施例と発明の効果】
【０１３２】本発明の重要な貢献の第一は、すでに〔図１〕（１）（２）について説明したように、和文入力の場合にすべての字母を基本的に子音＋母音の形に整理して、母音鍵盤と子音鍵盤を自動的に切り替えることによって、普通のパソコンの鍵盤の半数のキー数をもった鍵盤によって、普通のパソコンと同等の入力操作性を獲得した点にある。
【０１３３】本発明の和文入力の場合には、さらに母音鍵盤を五十音図を基本に構成することによって、一般のいわゆるｑｗｅｒｔｙ  ｂｏａｒｄ  を使用した和文入力以上の入力操作性を実現している。
【０１３４】また、母音鍵盤を五十音図を基本に構成することによって初心者の入力操作習得が、一般的なパソコンのｑｗｅｒｔｙ  ｂｏａｒｄ  やＪＩＳ方式に比して、格段に容易になる。
【０１３５】一方、この和文入力に対応する英文入力の場合は、英文綴りの特性に注目して、ｑとｋ、ｓとｘ、ｗとｖをそれぞれ同じキーに並存させて、合計２３個のキーによって、すべてのアルファベットの入力を可能にした結果、３行５列の鍵盤による英文入力中にただ１度の入力鍵盤の切替のシステムを用意することによって、英文のすべての字母および７個の英文符号の入力可能となる点が重要である。
【０１３６】以上の工夫によって、本発明においては３行５列合計１５個のハードキーによって、現今の３行１０列合計３０個の字母入力鍵盤に匹敵する入力操作性を獲得することができた。
【発明を実施するための最良の形態】
【０１３７】本発明は、携帯電話、超小型パソコン、電子辞書等のＰＤＡ、リモートコントローラ等における入力鍵盤に適している。
【産業上の利用可能性】
【０１３８】このなかで、携帯電話、電子辞書、リモートコントローラ等における入力鍵盤に本発明を適用した場合の効果は、これらの機器の従来の操作性を大きく上回る操作性を提供する点に見られる。【０１３９】このことによって、携帯電話、電子辞書等のＰＤＡ、リモートコントローラ等の機器と使用者との間の関係（インターフェイス）が大きく改善されて、使用者にとって親しみやすく、効率の高い入力が可能となる。【０１４０】一層重要なのは、この発明によって従来では不可能であった超小型パソコンの実現が可能になるということである。【０１４１】従来の入力方式による限り、機器を小型にするためには基本的にはハードキーを小型にするしか方法は無かった。【０１４２】たとえば携帯電話にもっとも特徴的な小型のハードキーを持った携帯端末では、高速で安定した入力はきわめて困難であり、入力には大きな疲労を伴っていた。【０１４３】これに対して、本発明では従来の電子辞書程度の大きさで、従来のハードキーと同様の大きさを持ったハードキーを備えた超小型のパソコンが設計可能となる。【０１４４】また、本発明のような３行５列の横長型字母入力鍵盤は、それに対応する横長型の画面デイスプレーを伴うが、これは従来の携帯電話のような縦長の鍵盤に付随する縦長の画面デイスプレーに比して、一層優れた機能を発揮することは、現今の縦長の鍵盤に対してさえ、特殊な工夫によって横長の画面デイスプレーを対応させることが多い点からも容易に理解できる。【０１４５】現在すでに、携帯電話でさえ高機能化や通信の高速化で、パソコン並みになっていくと見られており、さらに「現在の携帯電話の１０倍以上という通信速度と時速１００キロ程度の移動中もとぎれない安定性」（朝日新聞２００７年１０月１３日等）をもった屋外ネット接続による無線通信のサービスが２００９年には開始されると伝えられる。【０１４６】今後のこの分野での技術の進歩は容易に想像され、本発明のように従来のハードキーと同様の大きさを持ったハードキーを備えた超小型のパソコンが設計可能となれば、パソコンはその固定的性格を一掃し、現今の携帯電話なみの手軽さで日常生活のあらゆる場面で活用されるようになる。
【図面の簡単な説明】
【０１４７】
【図１】縦長型アルフアベット五十音和文入力基本鍵盤  （１）縦長型アルフアベット五十音和文入力基本表鍵盤  （２）縦長型アルフアベット五十音和文入力基本裏鍵盤
【図２】縦長型アルフアベット五十音和文入力基本鍵盤平かな表記型  （１）縦長型アルフアベット五十音和文入力基本表鍵盤平かな表記型  （２）縦長型アルフアベット五十音和文入力基本裏鍵盤平かな表記型
【図３】横長型アルフアベット五十音和文入力基本鍵盤  （１）横長型アルフアベット五十音和文入力基本表鍵盤  （２）横長型アルフアベット五十音和文入力基本裏鍵盤
【図４】縦長型アルフアベット五十音型英文入力基本鍵盤  （１）縦長型アルフアベット五十音型英文入力基本表鍵盤  （２）縦長型アルフアベット五十音型英文入力基本裏鍵盤
【図５】縦長型アルフアベット五十音数字入力基本鍵盤
【図６】縦長型アルフアベット五十音符号基本鍵盤  （１）縦長型アルフアベット五十音和文符号基本鍵盤  （２）縦長型アルフアベット五十音数字符号基本鍵盤
【図７】縦長型アルフアベット五十音符号第１鍵盤  （１）縦長型アルフアベット五十音和文符号第１鍵盤  （２）縦長型アルフアベット五十音英文符号第１鍵盤  （３）縦長型アルフアベット五十音数字符号第１鍵盤
【図８】縦長型アルフアベット五十音符号第２鍵盤  （１）縦長型アルフアベット五十音和文符号第２鍵盤  （２）縦長型アルフアベット五十音英文符号第２鍵盤  （３）縦長型アルフアベット五十音数字符号第２鍵盤
【図９】縦長型アルフアベット五十音符号第３鍵盤  （１）縦長型アルフアベット五十音和文符号第３鍵盤  （２）縦長型アルフアベット五十音英文符号第３鍵盤  （３）縦長型アルフアベット五十音数字符号第３鍵盤
【図１０】縦長型アルフアベット五十音符号第４鍵盤  （１）縦長型アルフアベット五十音和文符号第４鍵盤  （２）縦長型アルフアベット五十音英文符号第４鍵盤  （３）縦長型アルフアベット五十音数字符号第４鍵盤
【図１１】縦長型アルフアベット五十音単位記号関連鍵盤（Ｍ）
【図１２】縦長型アルフアベット五十音和文入力パソコン型基本鍵盤  （１）縦長型アルフアベット五十音和文入力パソコン型基本表鍵盤  （２）縦長型アルフアベット五十音和文入力パソコン型基本裏鍵盤
【図１３】縦長型アルフアベット五十音和文入力パソコン型機能切替第１鍵盤
【図１４】縦長型アルフアベット五十音和文入力パソコン型機能切替第２鍵盤
【図１５】縦長型アルフアベット五十音和文入力パソコン型機能指定鍵盤（ファイル）
【図１６】縦長型アルフアベット五十音和文入力パソコン型機能指定鍵盤（ファイル）二次鍵盤（送信）
【手続補正２】
【補正対象書類名】図面
【補正対象項目名】全図
【補正方法】変更
【補正の内容】
【図１】
2009129438.tif 000035
【図２】
2009129438.tif 000036
【図３】
2009129438.tif 000037
【図４】
2009129438.tif 000038
【図５】
2009129438.tif 000039
【図６】
2009129438.tif 000040
【図７】
2009129438.tif 000041
【図８】
2009129438.tif 000042
【図９】
2009129438.tif 000043
【図１０】
2009129438.tif 000044
【図１１】
2009129438.tif 000045
【図１２】
2009129438.tif 000046
【図１３】
2009129438.tif 000047
【図１４】
2009129438.tif 000048
【図１５】
2009129438.tif 000049
【図１６】
2009129438.tif 000050